(57)【要約】  必要なＳＮ比が確保可能な範囲で光ディスク等の記録情報媒体の記録容量を増大させるために、記録線密度と情報記録層の層数とを適切に制御する記録媒体のためのアドレスフォーマットを提供する。  光ディスクは、同心円上又はスパイラル状のトラックを含む情報記録層を備えており、トラックに予め記録された、又は、情報記録層に記録されるデータに付加される、トラックアドレスを記述するためのフォーマットを有している。当該フォーマットは、情報記録層に関する層情報およびトラックアドレスに関するアドレス情報を含む。第１の記録密度を有する第１の光ディスクでは、第１の光ディスクの層情報は第１ビット数で記述され、第１の光ディスクのアドレス情報は第２ビット数で記述される。第１の記録密度よりも大きな第２の記録密度を有する第２の光ディスクでは、第１ビット数よりも少ないビット数で第２の光ディスクの層情報が特定され、第２ビット数よりも多いビット数で第２の光ディスクのアドレス情報が特定される。第２の光ディスクの層情報およびアドレス情報の合計ビット数は、第１ビット数と第２ビット数の和と等しい。
2009066470.tif 000002
【特許請求の範囲】
【請求項１】
同心円上又はスパイラル状のトラックを含む情報記録層を備え、
前記トラックに予め記録された、又は、前記情報記録層に記録されるデータに付加される、トラックアドレスを記述するためのフォーマットを有する光ディスクであって、
前記フォーマットは、前記情報記録層に関する層情報、及び、前記トラックアドレスに関するアドレス情報を含み、
第１の記録密度を有する第１の光ディスクにおいては、
前記第１の光ディスクの層情報は第１ビット数で記述され、
前記第１の光ディスクのアドレス情報は第２ビット数で記述され、
前記第１の記録密度よりも大きな第２の記録密度を有する第２の光ディスクにおいては、
前記第１ビット数よりも少ないビット数で前記第２の光ディスクの層情報が特定され、
前記第２ビット数よりも多いビット数で前記第２の光ディスクのアドレス情報が特定され、
前記第２の光ディスクの層情報および前記第２の光ディスクのアドレス情報の合計ビット数は、前記第１ビット数と前記第２ビット数の和と等しい、光ディスク。
【請求項２】
前記光ディスクは再生専用型で、前記データは凹凸ピットで形成されている、請求項１に記載の光ディスク。
【請求項３】
請求項１に記載の光ディスクを再生する方法であって、
前記層情報を再生するステップと、
前記アドレス情報を再生するステップと
を包含する方法。
【請求項４】
情報記録層を備えた光ディスクであって、
前記情報記録層においては、トラックに予め記録された、または、データに付加されるトラックアドレスを記述するためのフォーマットが予め定められており、
前記情報記録層は、前記情報記録層の記録密度に関する情報を格納する領域を含み、
前記フォーマットは、前記情報記録層に関する層情報、及び、前記トラックアドレスのアドレス情報を含み、前記層情報は第１ビット数で記述され、前記アドレス情報は第２ビット数で記述されており、
前記記録密度に関する情報が所定の値を超える場合において、前記層情報が前記第１ビット数よりも少ないビット数で記述され、前記アドレス情報が第２ビット数よりも多いビット数で記述され、かつ、前記層情報および前記アドレス情報の合計ビット数は前記第１ビット数と前記第２ビット数の和と等しい、 光ディスク。
【請求項５】
長さが異なる複数種類のマークを用いてデータが記録される光ディスクであって、
前記複数種類のマークのうち、少なくともいずれか一つのマークを再生したときの再生信号の周波数である空間周波数がＯＴＦカットオフ周波数よりも高い、請求項４に記載の光ディスク。
【請求項６】
トラックに照射するレーザの波長をλｎｍ、レーザをトラックに集光する対物レンズの開口数をＮＡ、トラック上に記録される最短マーク長をＴＭｎｍ、最短スペース長をＴＳｎｍとしたとき、（ＴＭ＋ＴＳ）  ＜  λ÷（２ＮＡ）となる、請求項４に記載の光ディスク。
【請求項７】
前記最短マーク長ＴＭと最短スペース長ＴＳを加算した長さＴＭ＋ＴＳが、２３８．２ｎｍ未満である、請求項６に記載の光ディスク。
【請求項８】
所定の変調則に従って変調した複数種類のマークを記録することが可能であり、
前記変調の基準周期をＴとした場合、
前記最短マーク長は２Ｔ、前記最短スペース長は２Ｔである、請求項６に記載の光ディスク。
【請求項９】
所定の変調則に従って変調した複数種類のマークを記録することが可能であり、
前記所定の変調則は、１−７変調則である、請求項６に記載の光ディスク。
【請求項１０】
前記記録密度に関する情報は、前記情報記録層における記録容量を示す情報である、請求項４に記載の光ディスク。
【請求項１１】
前記所定の値が２５ギガバイトである、請求項１０に記載の光ディスク。
【請求項１２】
前記記録密度に関する情報は、前記情報記録層における記録線密度を示す情報である、請求項４に記載の光ディスク。
【請求項１３】
前記情報記録層に設けられたトラックの幅は同一であり、
複数の記録密度を許容する、請求項４に記載の光ディスク。
【請求項１４】
前記アドレス情報および前記層情報は、前記トラックのウォブルによって表され、又は、前記記録されるデータの内部に記述されており、
前記層情報を示すビット列は、前記アドレス情報を示すビット列よりも上位に配置されている、請求項４に記載の光ディスク。
【請求項１５】
ＢＣＡ領域およびリードイン領域を備え、前記リードイン領域にはＰＩＣ領域が含まれており、
前記ＢＣＡ領域または前記ＰＩＣ領域に、前記記録密度に関する情報が記録されている、請求項４に記載の光ディスク。
【請求項１６】
請求項１５に記載の光ディスクを再生する方法であって、
前記ＢＣＡ領域又は前記ＰＩＣ領域から、前記記録密度に関する情報を再生するステップを包含する方法。
【請求項１７】
光照射面から最も遠い位置に配置される情報記録層である基準層と、
前記基準層よりも前記光照射面側に配置される情報記録層である第１の情報記録層と、
前記基準層と前記第１の情報記録層との間に配置される中間層である第１の中間層と
を備え、前記基準層は、前記記録密度に関する情報を格納する領域を含む、請求項４に記載の光ディスク。
【請求項１８】
前記第１の情報記録層よりも前記光照射面側に配置される情報記録層である第２の情報記録層と、
前記第１の情報記録層と前記第２の情報記録層との間に配置される中間層である第２の中間層と
を備え、前記第１の中間層の幅は、前記第２の中間層の幅よりも大きい、請求項１７に記載の光ディスク。
【請求項１９】
請求項１５に記載の光ディスクに対し、データの記録および再生の少なくとも一方を行うことが可能な光ディスク装置であって、
前記光ディスクに対して光ビームを放射し、反射光の光量に応じた再生信号を出力する出力手段と、
前記ＢＣＡ領域または前記ＰＩＣ領域から、前記記録密度に関する情報を再生する第１の再生手段と、
前記再生信号に基づいて、前記層情報および前記アドレス情報を再生する第２の再生手段と、
前記第１の再生手段によって再生される前記記録密度に関する情報に応じて、前記第１ビット数よりも少ないビット数で前記層情報を認識し、前記第２ビット数よりも多いビット数で前記アドレス情報を認識する認識手段と、
ビット数が変更して認識された前記層情報および前記アドレス情報に基づいて、データの記録および再生の少なくとも一方を行う、光ディスク装置。
【請求項２０】
請求項１５に記載の光ディスクに対し、データの記録および再生の少なくとも一方を行うことが可能な光ディスク装置に組み込まれる制御装置であって、
前記制御装置は、
前記ＢＣＡ領域または前記ＰＩＣ領域から、前記記録密度に関する情報の再生を指示する第１の再生指示手段と、
前記光ディスクからの再生信号に基づいて、前記層情報および前記アドレス情報の再生を指示する第２の再生指示手段と、
前記第１の再生指示手段によって再生される前記記録密度に関する情報に応じて、前記第１ビット数よりも少ないビット数で前記層情報を認識し、前記第２ビット数よりも多いビット数で前記アドレス情報を認識する認識手段と
を備えた制御装置。
【発明の詳細な説明】
【技術分野】
【０００１】
本発明は、光ディスク等の情報記録媒体の所定の位置に情報を正しく記録し、当該情報を正しく再生するために用いるアドレス情報のフォーマット、および該アドレス情報フォーマットに従った情報の記録再生の技術に関する。
【背景技術】
【０００２】
近年高密度の光ディスクの研究開発が盛んに行われている。現在、たとえば、Ｂｌｕ−ｒａｙ  Ｄｉｓｃ（ＢＤ）が提案、実用化され、デジタル放送の録画等に使用されるようになり、光ディスクは重要な情報媒体としての地位を築きつつある。また更なる高密度化の流れとして、現在、規格化されているＢＤよりも記録容量を拡大する研究開発も行われている。これらは例えば、非特許文献１に記載されている。【０００３】
光ディスク１枚当たりの記録容量を増やすためには、記録膜（または「情報記録層」ともいう。）を複数枚積層する方法が考えられる。図１３は、多層の相変化薄膜ディスクの構成例を示している。図示された光ディスクは、（ｎ＋１）層の情報記録層５０２で構成されている。その構成を具体的に説明すると、光ディスクには、レーザ光５０５が入射する側の表面から順に、カバー層５０１、（ｎ＋１）枚の情報記録層（Ｎｎ〜Ｌ０層）５０２、そしてポリカーボネート基板５００が積層されている。また、（ｎ＋１）枚の情報記録層５０２の層間には、光学的緩衝材として働く中間層５０３が挿入されている。このように、層当たりの記録容量を維持しつつ、多層構造を採用することにより、光ディスク１枚当たりの記録容量を増やすことが可能である。【０００４】
光ディスク１枚当たりの記録容量を増やすためには、他に、記録線密度を向上させる方法、および／または、トラックピッチ（記録溝の幅）を狭くする方法が考えられる。【０００５】
記録線密度を向上させる方法では、記録マーク長を小さくすることで記録容量の増加を実現できる。例えば、記録容量２５ギガバイト（ＧＢ）のＢＤの場合、最短マーク長は０．１４９ｕｍであり、この値は基準となる長さＴを用いると「２Ｔ」と表すことができる。その基準となるＴを小さくすることで、記録容量の向上を実現できる。なお、Ｔは基準チャネル時間を示し、Ｔ長は、０．０７４５ｕｍである。例えば、Ｔ長を２５ＧＢの０．０７４５ｕｍから０．０６２ｕｍ程度にすると、層当たりの記録容量を３０ＧＢにすることが可能である。【０００６】
また、トラックピッチを狭くする方法として、たとえばＢＤのトラックピッチ０．３２ｕｍよりも狭いトラックピッチを設けることにより、記録容量の増加を実現できる。【０００７】
一般的に、光ディスクには、情報記録媒体の所定の位置に情報を正しく記録再生するため、所定のフォーマットで定義されたアドレス情報が記述されている。そのアドレス情報は、情報が記録されるトラックがサイン波状に蛇行して形成されたウォブルによって表されるウォブル信号に挿入される場合と、記録された情報（データ）内部に挿入される場合がある。これらについては、例えば、特許文献１に記載されている。【０００８】
図１４は、従来の光ディスクにおいて、トラックに予め記録されているトラックアドレスのフォーマットの例を示している。【０００９】
トラックは、データの記録単位６４キロバイト（ｋＢ）毎にブロックに分けられて、順にブロックアドレス値が割り振られている。ブロックは、所定の長さのサブブロックに分割され、３個のサブブロックで１ブロックを構成している。サブブロックは、前から順に０から２までのサブブロック番号が割り振られている。【００１０】
多層光ディスクにおける層番号を示す３ビットのデジタル情報と、ブロックアドレスを表す１８ビットのデジタル情報と、サブブロック番号を表す２ビットのデジタル情報をあわせた合計２３ビットのデジタル情報とが、サブブロック毎にトラックに予め記録されている。当該従来の光ディスクの記録再生を行う光ディスク装置は、サブブロック毎に前記２３ビットのデジタル情報を再生することにより、層番号とブロックアドレスとサブブロック番号を追従しながらターゲットブロックを検索し、ターゲットブロックに対してデータの記録あるいは再生を行うことができる。【００１１】
記録容量を増やすと同時に、その容量を向上させる方法に応じて、たとえば層番号とブロックアドレスとサブブロック番号とを増やすことにより、増えた記録容量に対応する各位置を特定することが可能になる。
【非特許文献１】図解  ブルーレイディスク読本  オーム社
【特許文献１】特開２００４−１３４００９号公報
【発明の開示】
【発明が解決しようとする課題】
【００１２】
複数の情報記録層を積層すると同時に記録線密度を向上させると、さらに光ディスク１枚当たりの記録容量を増やすことができる。しかしながら、そのような構成では、安定したデータの記録および／または再生を実現するシステムの構築が困難となる場合があった。【００１３】
まず、情報記録層を多層に積層し記録容量を増やすと、再生時、多層化に起因して、各情報記録層において再生信号振幅の低下、すなわちＳＮ比（Ｓｉｇｎａｌ  ｔｏ  Ｎｏｉｓｅ  Ｒａｔｉｏ；ＳＮＲ）が劣化する。そのため、その振幅低下を補償するための広範囲の振幅可変アンプと、ＳＮ比劣化分に対して十分の再生性能を維持するための信号処理の実現が必要となる。また、光ディスクにおいて情報記録層が設けられる厚さ方向の範囲の制限下で、多層化を図るため、多層迷光すなわち、隣接する情報記録層からの信号の影響が大きくなり、さらに、再生信号のＳＮ比劣化が発生する場合があった。【００１４】
一方、記録線密度を向上させて記録容量を増やす方法によれば、記録マークが小さくなるという単純な理由で、ＳＮ比劣化が発生する。【００１５】
また、トラックピッチを狭くして記録容量を増やす方法によれば、既存の光ディスクの構造と比較すると光ディスクの構造が大きく変わるため、光ディスク装置の光学的構成の大幅な見直しが必要になる。現在の規格化との互換という観点では、光学ヘッドのコストアップが生じ、実現性が乏しい。【００１６】
このように、情報記録層を多層に積層し、同時に、記録線密度を向上させて記録容量を増やすことで、光ディスクから情報を再生する時の再生信号のＳＮ比劣化が顕著となる。このＳＮ比劣化は、情報記録層の層数を増やせば増やすほど、および、記録線密度を向上させればさせるほど発生する。【００１７】
本発明は上記課題に鑑みてなされたものであり、その目的は、必要なＳＮ比が確保可能な範囲で光ディスク等の記録情報媒体の記録容量を増大させるために、記録線密度と情報記録層の層数とを適切に制御する記録媒体のためのアドレスフォーマットを提供することにある。併せて本発明の目的は、そのようなアドレスフォーマットで記録情報媒体のトラックアドレスを構成し、そのアドレスフォーマットに対応できる光ディスク記録再生システムを構築することにある。
【課題を解決するための手段】
【００１８】
本発明による光ディスクは、同心円上又はスパイラル状のトラックを含む情報記録層を備え、前記トラックに予め記録された、又は、前記情報記録層に記録されるデータに付加される、トラックアドレスを記述するためのフォーマットを有する光ディスクであって、前記フォーマットは、前記情報記録層に関する層情報、及び、前記トラックアドレスに関するアドレス情報を含み、第１の記録密度を有する第１の光ディスクにおいては、前記第１の光ディスクの層情報は第１ビット数で記述され、前記第１の光ディスクのアドレス情報は第２ビット数で記述され、前記第１の記録密度よりも大きな第２の記録密度を有する第２の光ディスクにおいては、前記第１ビット数よりも少ないビット数で前記第２の光ディスクの層情報が特定され、前記第２ビット数よりも多いビット数で前記第２の光ディスクのアドレス情報が特定され、前記第２の光ディスクの層情報および前記第２の光ディスクのアドレス情報の合計ビット数は、前記第１ビット数と前記第２ビット数の和と等しい。【００１９】
前記光ディスクは再生専用型で、前記データは凹凸ピットで形成されていてもよい。【００２０】
本発明による方法は、上述の光ディスクを再生する方法であって、前記層情報を再生するステップと、前記アドレス情報を再生するステップとを包含する。【００２１】
本発明による光ディスクは、情報記録層を備えた光ディスクであって、前記情報記録層においては、トラックに予め記録された、または、データに付加されるトラックアドレスを記述するためのフォーマットが予め定められており、前記情報記録層は、前記情報記録層の記録密度に関する情報を格納する領域を含み、前記フォーマットは、前記情報記録層に関する層情報、及び、前記トラックアドレスのアドレス情報 を含み、前記層情報は第１ビット数で記述され、前記アドレス情報は第２ビット数で記述されており、前記記録密度に関する情報が所定の値を超える場合において、前記層情報が前記第１ビット数よりも少ないビット数で記述され、前記アドレス情報が第２ビット数よりも多いビット数で記述され、かつ、前記層情報および前記アドレス情報の合計ビット数は前記第１ビット数と前記第２ビット数の和と等しい。【００２２】
前記光ディスクは、長さが異なる複数種類のマークを用いてデータが記録される光ディスクであって、前記複数種類のマークのうち、少なくともいずれか一つのマークを再生したときの再生信号の周波数である空間周波数がＯＴＦカットオフ周波数よりも高くてもよい。【００２３】
前記光ディスクは、トラックに照射するレーザの波長をλｎｍ、レーザをトラックに集光する対物レンズの開口数をＮＡ、トラック上に記録される最短マーク長をＴＭｎｍ、最短スペース長をＴＳｎｍとしたとき、（ＴＭ＋ＴＳ）  ＜  λ÷（２ＮＡ）となってもよい。【００２４】
前記光ディスクは、前記最短マーク長ＴＭと最短スペース長ＴＳを加算した長さＴＭ＋ＴＳが、２３８．２ｎｍ未満であってもよい。【００２５】
前記光ディスクは、所定の変調則に従って変調した複数種類のマークを記録することが可能であり、前記変調の基準周期をＴとした場合、前記最短マーク長は２Ｔ、前記最短スペース長は２Ｔであってもよい。【００２６】
前記光ディスクには、所定の変調則に従って変調した複数種類のマークを記録することが可能であり、前記所定の変調則は、１−７変調則であってもよい。【００２７】
前記記録密度に関する情報は、前記情報記録層における記録容量を示す情報であってもよい。【００２８】
前記所定の値は２５ギガバイトであってもよい。【００２９】
前記記録密度に関する情報は、前記情報記録層における記録線密度を示す情報であってもよい。【００３０】
前記情報記録層に設けられたトラックの幅は同一であり、複数の記録密度が許容されていてもよい。【００３１】
前記アドレス情報および前記層情報は、前記トラックのウォブルによって表され、又は、前記記録されるデータの内部に記述されており、前記層情報を示すビット列は、前記アドレス情報を示すビット列よりも上位に配置されていてもよい。【００３２】
前記光ディスクは、ＢＣＡ領域およびリードイン領域を備え、前記リードイン領域にはＰＩＣ領域が含まれており、前記ＢＣＡ領域または前記ＰＩＣ領域に、前記記録密度に関する情報が記録されていてもよい。【００３３】
本発明による方法は、上述の光ディスクを再生する方法であって、前記ＢＣＡ領域又は前記ＰＩＣ領域から、前記記録密度に関する情報を再生するステップを包含する。【００３４】
前記光ディスクは、光照射面から最も遠い位置に配置される情報記録層である基準層と、前記基準層よりも前記光照射面側に配置される情報記録層である第１の情報記録層と、前記基準層と前記第１の情報記録層との間に配置される中間層である第１の中間層とを備え、前記基準層は、前記記録密度に関する情報を格納する領域を含んでいてもよい。【００３５】
前記光ディスクは、前記第１の情報記録層よりも前記光照射面側に配置される情報記録層である第２の情報記録層と、前記第１の情報記録層と前記第２の情報記録層との間に配置される中間層である第２の中間層とを備え、前記第１の中間層の幅は、前記第２の中間層の幅より大きくてもよい。【００３６】
本発明による光ディスク装置は、上述の光ディスクに対し、データの記録および再生の少なくとも一方を行うことが可能な光ディスク装置であって、前記光ディスクに対して光ビームを放射し、反射光の光量に応じた再生信号を出力する出力手段と、前記ＢＣＡ領域または前記ＰＩＣ領域から、前記記録密度に関する情報を再生する第１の再生手段と、前記再生信号に基づいて、前記層情報および前記アドレス情報を再生する第２の再生手段と、前記第１の再生手段によって再生される前記記録密度に関する情報に応じて、前記第１ビット数よりも少ないビット数で前記層情報を認識し、前記第２ビット数よりも多いビット数で前記アドレス情報を認識する認識手段と、ビット数が変更して認識された前記層情報および前記アドレス情報に基づいて、データの記録および再生の少なくとも一方を行う。【００３７】
本発明による装置は、上述の光ディスクに対し、データの記録および再生の少なくとも一方を行うことが可能な光ディスク装置に組み込まれる制御装置であって、前記制御装置は、前記ＢＣＡ領域または前記ＰＩＣ領域から、前記記録密度に関する情報の再生を指示する第１の再生指示手段と、前記光ディスクからの再生信号に基づいて、前記層情報および前記アドレス情報の再生を指示する第２の再生指示手段と、前記第１の再生指示手段によって再生される前記記録密度に関する情報に応じて、前記第１ビット数よりも少ないビット数で前記層情報を認識し、前記第２ビット数よりも多いビット数で前記アドレス情報を認識する認識手段とを備えている。【００３８】
前記課題を解決するため、本発明の光ディスク媒体は、少なくとも２つ以上の記録層を備えた光ディスク媒体であって、前記光ディスク媒体は、トラックに予め構成された、または、データ記録後に構成されるトラックアドレスのフォーマットを備え、前記フォーマットは、少なくとも層情報及び、アドレス情報を含み、前記光ディスク媒体に記録されるデータの記録線密度に応じて、前記層情報と前記アドレス情報のトータルのビット数を変えないで、ビット配置を変更するように構成されたことを特徴とする。【００３９】
また、前記記録線密度は、前記光ディスク媒体に記録されるデータの最短マーク周波数がＯＴＦ帯域より高い場合、最短マーク周波数がＯＴＦ帯域より低い場合に比べて、前記層情報数を減らすように構成であってもよい。【００４０】
また、前記光ディスク媒体は、すべての記録層において、記録されるトラックの幅が同一で、複数の記録線密度を許容してもよい。【００４１】
また、前記層情報数の情報は、記録されるデータ内部または、ウォブルの蛇行情報内部に含まれたトラックアドレスフォーマット情報の上位のビットとして配置された情報であってもよい。【００４２】
また、前記記録線密度を示す情報は、前記光ディスク媒体に予め記録されたＢＣＡ領域または、ＰＩＣ領域の情報内に記録されていてもよい。【００４３】
本発明の光ディスク装置は、少なくとも２つ以上の記録層を備えた光ディスク媒体を記録または再生する光ディスク装置であって、前記光ディスク媒体上に予め記録されたＢＣＡ領域または、ＰＩＣ領域の情報内に含まれる記録線密度情報を再生する物理情報再生手段と、前記光ディスク媒体上のトラックに予め構成された、または、記録後に構成されるトラックアドレスのフォーマットに含まれる少なくとも層情報及び、アドレス情報を再生するアドレス再生手段と、を備え、前記物理情報再生手段によって再生される前記記録線密度情報に応じて、前記アドレス再生手段によって再生される前記層情報及び、前記アドレス情報のビット配置を変更してアドレス情報を再生することを特徴とする。【００４４】
また、前記記録線密度情報は、前記光ディスク媒体に記録されるデータの最短マーク周波数がＯＴＦ帯域より高い場合をＡと、最短マーク周波数がＯＴＦ帯域より低い場合をＢと識別する情報であって、前記識別信号が、Ａと示した場合は、Ｂと示した場合と比較して、前記層情報数を減らすように前記アドレス情報ビットを配置変更してアドレス情報を再生してもよい。【００４５】
本発明の光ディスク記録再生方法は、少なくとも２つ以上の記録層を備えた光ディスク媒体を記録または再生する光ディスク記録再生方法であって、前記光ディスク媒体上に予め記録されたＢＣＡ領域または、ＰＩＣ領域の情報内に含まれる記録線密度情報を再生する物理情報再生ステップと、前記光ディスク媒体上のトラックに予め構成された、または、記録後に構成されるトラックアドレスのフォーマットに含まれる少なくとも層情報及び、アドレス情報を再生するアドレス再生ステップと、を備え、前記物理情報再生手段によって再生される前記記録線密度情報に応じて、前記アドレス再生手段によって再生される前記層情報及び、前記アドレス情報のビット配置を変更してアドレス情報を再生することを特徴とする。【００４６】
また、前記記録線密度情報は、前記光ディスク媒体に記録されるデータの最短マーク周波数がＯＴＦ帯域より高い場合をＡと、最短マーク周波数がＯＴＦ帯域より低い場合をＢと識別する情報であって、前記識別信号が、Ａと示した場合は、Ｂと示した場合と比較して、前記層情報数を減らすように前記アドレス情報ビットを配置変更してアドレス情報を再生してもよい。【００４７】
本発明の集積回路は、少なくとも２つ以上の記録層を備えた光ディスク媒体に対して記録または再生の制御する集積回路であって、前記光ディスク媒体上に予め記録されたＢＣＡ領域または、ＰＩＣ領域の情報内に含まれる記録線密度情報を再生する物理情報再生回路と、前記光ディスク媒体上のトラックに予め構成された、または、記録後に構成されるトラックアドレスのフォーマットに含まれる少なくとも層情報及び、アドレス情報を再生するアドレス再生回路と、を備え、前記物理情報再生手段によって再生される前記記録線密度情報に応じて、前記アドレス再生手段によって再生される前記層情報及び、前記アドレス情報のビット配置を変更してアドレス情報を再生することを特徴とする。【００４８】
また、前記記録線密度情報は、前記光ディスク媒体に記録されるデータの最短マーク周波数がＯＴＦ帯域より高い場合をＡと、最短マーク周波数がＯＴＦ帯域より低い場合をＢと識別する情報であって、前記識別信号が、Ａと示した場合は、Ｂと示した場合と比較して、前記層情報数を減らすように前記アドレス情報ビットを配置変更してアドレス情報を再生してもよい。
【発明の効果】
【００４９】
本発明によれば、光ディスク等の記録情報媒体の記録容量を増やすために、記録線密度と情報記録層の層数とを適切に制御するアドレスフォーマットで記録情報媒体のトラックアドレスを構成し、そのアドレスフォーマットに対応できる光ディスク記録再生システムを構築する。これにより、従来の光ディスク記録再生システムとの互換性を保ちつつ、安定な記録再生システムを実現することができる。また、再生したデジタル情報の値の処理方法を変えるだけで対応できるため、大幅なハードウェアの変更は必要なく、システムの複雑化やハードウェア規模増大によるコスト増を防ぐことができる。
【図面の簡単な説明】
【００５０】
【図１】実施形態１による光ディスク１の物理的構成を示す図である。
【図２】実施形態１による光ディスク１のトラック２において、予め記録されているトラックアドレスのフォーマットの例を示す図である。
【図３】図２のディスクＢに関する変形例を示す図である。
【図４】（Ａ）はＢＤの例を示す図であり、（Ｂ）は、ＢＤよりも高記録密度の光ディスクの例を示す図である。
【図５】トラック上に記録されたマーク列に光ビームを照射させている様子を示す図である。
【図６】ＢＤ２５ＧＢ記録容量の場合のＯＴＦと最短記録マークの関係を示す図である。
【図７】最短マーク（２Ｔ）の空間周波数がＯＴＦカットオフ周波数よりも高く、かつ、２Ｔの再生信号の振幅が０になっている例を示す図である。
【図８】記録可能データ量とアドレス値との関係を示す図である。
【図９】ＢＤのデータ構造、および、データアドレスフォーマットを示す図である。
【図１０】実施形態２による光ディスク装置４５０の構成を示すブロック図である。
【図１１Ａ】光ディスク４００の領域構成を示す図である。
【図１１Ｂ】（１）は、従来の記録密度のディスクＡおよびより高い記録密度のディスクＢの情報記録層の構成を示し、（２）および（３）は、それぞれ、ディスクＡおよびディスクＢのリードイン領域４２０の具体的な構成を示す図である。
【図１２】光ディスク装置４５０の起動時の動作の手順の例を示す図である。
【図１３】多層の相変化薄膜ディスクの構成例を示す図である。
【図１４】従来の光ディスクにおいて、トラックに予め記録されているトラックアドレスのフォーマットの例を示す図である。
【符号の説明】
【００５１】
４００  光ディスク
４０１  光ヘッド
４０２  モータ
４０３  サーボ回路
４０４  トラックアドレス再生回路
４０５  ＣＰＵ
４０６  データ記録再生回路
４０７  データアドレス再生回路
４１０  ＢＣＡ領域
４２０  リードイン領域
４３０  ユーザー領域
４４０  リードアウト領域
４２１  ＰＩＣ領域
４２２  ＯＰＣ領域
４２３  ＩＮＦＯ領域
４４５  光ディスクコントローラ
４５０  光ディスク装置
【発明を実施するための最良の形態】
【００５２】
（実施形態１）
図１は、本実施形態による光ディスク１の物理的構成を示す。円盤状の光ディスク１には、たとえば同心円状またはスパイラル状に多数のトラック２が形成されており、各トラック２には細かく分けられた多数のセクタが形成されている。なお、後述するように、各トラック２には予め定められたサイズのブロック３を単位としてデータが記録される。【００５３】
本実施形態による光ディスク１は、従来の光ディスク（たとえばＢＤ）よりも情報記録層１層あたりの記録容量が拡張されている。記録容量の拡張は、記録線密度を向上させることによって実現されており、たとえば光ディスクに記録される記録マークのマーク長をより短くすることによって実現される。ここで「記録線密度を向上させる」とは、チャネルビット長を短くすることを意味する。このチャネルビットとは、所定の変調則によってマークを記録する場合における、変調の基準周期Ｔに相当する長さをいう。【００５４】
なお、光ディスク１は多層化されていてもよい。その層数は、後述する本実施形態によるフォーマットの層情報によって記述可能な範囲内である。ただし、以下では説明の便宜のため、１つの情報記録層にのみ言及する。【００５５】
なお、複数の情報記録層が設けられている場合において、各情報記録層に設けられたトラックの幅が同一であるときでも、層ごとにマーク長を一様に変化させて層ごとに記録線密度を異ならせてもよい。【００５６】
記録容量の拡張に対応して、本実施形態ではアドレスの記述方法も拡張している。以下、具体的に説明する。【００５７】
トラック２は、データの記録単位６４ｋＢ（キロバイト）毎にブロックに分けられて、順にブロックアドレス値が割り振られている。ブロックは、所定の長さのサブブロックに分割され、３個のサブブロックで１ブロックを構成している。サブブロックは、前から順に０から２までのサブブロック番号が割り振られている。【００５８】
図２は、本実施形態による光ディスク１のトラック２において、予め記録されているトラックアドレスのフォーマットの例を示している。「ディスクＡ：ｘＧＢ／層」が、参考のために示した従来の光ディスクに対応するフォーマットであり、「ディスクＢ：ｙＧＢ／層」が、本実施形態による光ディスクに対応するフォーマットである。【００５９】
ｘＧＢ／層の記録密度の光ディスクＡでは、アドレス情報４は、層番号を示す３ビットの層情報と、ブロックアドレスを表す１９ビットのブロックアドレス情報６と、サブブロック番号を表す２ビットのサブブロック番号情報をあわせた合計２４ビットで記述される。このアドレス情報４は、サブブロック毎にトラック２に予め記録されている。【００６０】
当該従来の光ディスクの記録再生を行う光ディスク装置は、サブブロック毎に２４ビットのアドレス情報４を再生することにより、層番号、ブロックアドレスおよびサブブロック番号を追従しながらターゲットブロックを検索し、ターゲットブロックに対してデータの記録あるいは再生を行うことができる。【００６１】
本例では、層情報はアドレス情報４の最上位に位置する３ビットで記述され、０ｘ０〜０ｘ７（１６進数表記）で計８層を表現可能である。記述方法は、たとえば最下位ビット０から数えたときの第２１ビットの位置（ビット位置５）を層情報の最下位ビットとし、２３ビット目が層情報の最上位ビットとして、２進数で層番号が表記される。【００６２】
１９ビットのブロックアドレス情報６は、０ｘ００００から０ｘ７ＦＦＦの範囲でアドレスを表現できる。たとえばＢＤでは、とり得るブロックアドレスの最大値が０ｘ７ＦＦＦＦであり、１ブロックあたり６５５３６バイト（Ｂ）のユーザーデータを記録可能である。よって、最大記録可能容量は約３２．２ＧＢとなる。【００６３】
最下位の２ビットに割り当てられたサブブロック番号情報は、０ｘ０〜０ｘ３で計４つのサブアドレスを表現できる。【００６４】
一方、本実施形態による、ｙＧＢ／層の記録密度のディスクＢ（１層当たり、上述のｘＧＢ／層を超える記録密度）においては、アドレス情報４が合計２４ビットで記述される点は、上述のディスクＡのアドレス情報と同じである。また、サブブロック番号情報についてもディスクＢはディスクＡと同じである。【００６５】
しかしながら、ディスクＡでは３ビット割り当てられていた層情報が、ディスクＢでは２ビットに制限されている。ディスクＢでは、層情報は、たとえば最下位ビットから数えたときの２２ビット目および２３ビット目で記述される。【００６６】
そして、ディスクＡで層情報の一部として割り当てられていた、最下位ビットから数えたときの２１ビット目（ビット位置５）に存在する１ビットが、ブロックアドレス情報７の一部に割り当てられている。すなわち、ブロックアドレス情報７は２０ビットで記述されるデジタル情報となる。【００６７】
本実施形態にかかるディスクＢのフォーマットを採用すると、１情報記録層当たりの記録密度を所定以上に向上させる代わりに、記録許容層数がアドレスフォーマット上で半分に制限される。つまり、記録許容層数が従来のディスクＡと比較すると物理的に制限されることになる。これにより、ＳＮ比が劣化するほどの多層化を制限することが可能になる。【００６８】
また、従来のディスクＡでは層情報として割り当てられていた３ビットのうちの１ビットを、ディスクＢではブロックアドレス情報７の一部として利用する。これにより、記録密度向上により、より多く記述しなければならないブロックアドレスの必要性にも対応することが可能になる。すなわち、アドレスビット不足対策が可能になる。【００６９】
このように、本実施形態にかかるアドレスフォーマットによれば、層情報の制限をするために光ディスクのアドレス構造をある所定以上の密度から変更する構成によって、所望のＳＮ比を確保することができる。【００７０】
なお、本発明の実施例では、具体例として、図２のビット配置図を用いて説明したが、これに限定されない。層情報ビット、ブロックアドレスビット、サブブロックビットの配置は異なっていてもよい。また、ビット数も異なっていてもよい。【００７１】
また、アドレス情報２４ビットの内、上位３ビットの層情報の制限として、最下位ビットから数えたときの２２ビット目をアドレス情報に変換する例を説明したが、層情報ビットをブロックアドレスビットに割り当てる方法は、上記に限定されない。２３ビット目でも、２４ビット目でも、すなわち、層情報を表すどのビット情報でもアドレス情報に変換することができる。割り当てるビット数及びビット位置は上記に限定されない。【００７２】
たとえば、図３は、図２のディスクＢに関する変形例を示す。この例では、ディスクＡにおいて層情報を構成していた３ビットの最上位ビット（ビット位置５）が、ディスクＢにおけるブロックアドレス情報の一部として利用されている。その結果、本例においても、ブロックアドレス情報は２０ビットで表現される。他の構成は、図２と同じであるため、説明は省略する。【００７３】
この構成によれば、ディスクＡおよびディスクＢのいずれにおいても、最下位ビットから数えたときの２１ビット目および２２ビット目に必ず層情報の下位２ビットが記述されていることになる。両方のディスクに対応する装置は、層情報の下位２ビットについては常に同じビット位置のビット値を読み出して層情報を取得することができる。【００７４】
例えば、単層ディスクにおける層情報／多層ディスクにおける第１層目の層情報を「０００」、多層ディスクにおける第２層目の層情報を「００１」、多層ディスクにおける第３層目の層情報を「０１０」、多層ディスクにおける第４層目の層情報を「０１１」、多層ディスクにおける第５層目の層情報を「１００」、等と記述する場合には、５層以上（５層〜８層）のディスクの場合に使用される最上位ビットがアドレス情報として使用される。つまり、下位２ビットは同じ位置のビットを読み出して取得できるため、４層以下のディスクの層情報の取得に関しては、変更を加える必要がなくなる。【００７５】
次に、層情報の制限を変化させる記録線密度について、ＢＤの場合を具体例として挙げながら、図４、図５および図６を用いて説明する。【００７６】
図４（Ａ）はＢＤの例を示す。ＢＤでは、レーザ１２３の波長は４０５ｎｍ、対物レンズ２２０の開口数（Ｎｕｍｅｒｉｃａｌ  Ａｐｅｒｔｕｒｅ；ＮＡ）は０．８５である。このＢＤは、上述の図２ではディスクＡに対応する。【００７７】
ＤＶＤ同様、ＢＤにおいても、記録データは光ディスクのトラック２上に物理変化のマーク列１２０、１２１として、記録される。このマーク列の中で最も長さの短いものを「最短マーク」という。図では、マーク１２１が最短マークである。【００７８】
ＢＤ２５ＧＢ記録容量の場合、最短マーク１２１の物理的長さは０．１４９ｕｍとなっている。これは、ＤＶＤの約１／２．７に相当し、光学系の波長パラメータ（４０５ｎｍ）とＮＡパラメータ(０．８５)を変えて、レーザの分解能を上げても、光ビームが記録マークを識別できる限界である光学的な分解能の限界に近づいている。【００７９】
図５は、トラック上に記録されたマーク列に光ビームを照射させている様子を示す。ＢＤでは、上記光学系パラメータにより光スポット３０は、約０．３９ｕｍ程度となる。光学系の構造は変えないで記録線密度向上させる場合、光スポット３０のスポット径に対して記録マークが相対的に小さくなるため、再生の分解能は悪くなる。【００８０】
たとえば図４（Ｂ）は、ＢＤよりも高記録密度の光ディスクの例を示す。この光ディスクは、上述の図２ではディスクＢに対応する。このディスクでも、レーザ１２３の波長は４０５ｎｍ、対物レンズ２２０の開口数（Ｎｕｍｅｒｉｃａｌ  Ａｐｅｒｔｕｒｅ；ＮＡ）は０．８５である。このディスクのマーク列１２５、１２４のうち、最短マーク１２５の物理的長さは０．１１１５ｕｍとなっている。図４（Ａ）のＢＤと比較すると、スポット径は同じ約０．３９ｕｍである一方、記録マークが相対的に小さくなり、かつ、マーク間隔も狭くなるため、再生の分解能は悪くなる。【００８１】
光ビームで記録マークを再生した際の再生信号の振幅は記録マークが短くなるに従って低下し、光学的な分解能の限界でゼロとなる。この記録マークの周期の逆数を空間周波数といい、空間周波数と信号振幅の関係をＯＴＦ（Ｏｐｔｉｃａｌ Ｔｒａｎｓｆｅｒ Ｆｕｎｃｔｉｏｎ)という。信号振幅は、空間周波数が高くになるに従ってほぼ直線的に低下し、ゼロとなる再生の限界周波数をＯＴＦカットオフ（ｃｕｔｏｆｆ）という。【００８２】
図６は、ＢＤ２５ＧＢ記録容量の場合のＯＴＦと最短記録マークの関係を示す。ＢＤの最短マークの空間周波数はＯＴＦカットオフに対して８０％程度であり、ＯＴＦカットオフに近い。また、最短マークの再生信号の振幅も、検出可能な最大振幅の約１０％程度と非常に小さくなっているこが分かる。ＢＤの最短マークが、ＯＴＦカットオフ、すなわち、再生振幅がほとんど出ない記録容量となるのは、ＢＤでは、約３１ＧＢ相当になる。最短マークの再生信号の周波数が、ＯＴＦカットオフ周波数付近になる、または、それを超える周波数となると、レーザの分解能の限界、もしくは超えていることもあり、再生信号の再生振幅が小さくなり、ＳＮ比が急激に劣化する領域となる。【００８３】
たとえば図７は、最短マーク（２Ｔ）の空間周波数がＯＴＦカットオフ周波数よりも高く、かつ、２Ｔの再生信号の振幅が０になっている例を示す。最短ビット長の２Ｔの空間周波数はＯＴＦカットオフ周波数の１．１２倍である。この例は、図３に示すＢＤよりも記録密度が高い光ディスクのＯＴＦと最短記録マークの関係を示している。【００８４】
また、高記録密度のディスクＢにおける波長と開口数とマーク／スペース長の関係は以下の通りである。【００８５】
レーザ波長λ（４０５ｎｍ±５ｎｍ、すなわち４００〜４１０ｎｍ）、開口数ＮＡ（０．８５±０．０１すなわち０．８４〜０．８６）、最短マーク＋最短スペース長Ｐ（１７変調の場合、Ｐ＝２Ｔ＋２Ｔ＝４Ｔ）の３つのパラメータを用いると、
Ｐ  ＜  λ／２ＮＡ
となるまで基準Ｔが小さくなるとＯＴＦカットオフ周波数を超えることになる。【００８６】
ＮＡ＝０．８５，λ＝４０５としたときの、ＯＴＦカットオフ周波数に相当する基準Ｔは、
Ｔ  ＝  ４０５／（２ｘ０．８５）／４  ＝  ５９．５５８ｎｍ
となる。【００８７】
このように、記録線密度を上げるだけでも、光学的な分解能の限界によりＳＮ比が劣化する。よって、情報記録層の多層化によるＳＮ比劣化は、システムマージンの観点で、許容できない場合がある。特に、上述のように、最短記録マークの周波数が、ＯＴＦカットオフ周波数を越える辺りからＳＮ比劣化が顕著になるため、所定のＳＮ比を維持するためには、情報記録層の多層化の層数を制限して、多層化によるＳＮ比劣化を防ぐ必要がある。【００８８】
上述のとおり、本実施形態では、１情報記録層当たり所定以上の記録密度で情報を記録する場合、層情報の制限をするために光ディスクのアドレスフォーマットを変更する。これにより、物理的に記録層数を制限することが可能になる。その結果、システムマージンを所定以上確保できるＳＮ比を確保でき、安定した記録再生システムを実現できる。例えば、上記所定以上の記録密度とは、ＢＤ規格においては、約３２．２ＧＢ容量となる。よって、図２におけるｘＧＢ／層とｙＧＢ／層の具体的な一例の値として、ｘ＝２５、ｙ＝３３となる。前者は従来のＢＤであり、後者は上述の「ディスクＢ」に対応する、ＢＤよりも記録密度が高いディスク（以下「高密度ディスク」と記述する。）である。【００８９】
図８は、上述の例に対応した、記録可能データ量とアドレス値との関係を示す。約３２．２ＧＢを境界としてそれより大きい記録領域を有する高密度ディスクＢ（図１）には、本実施形態において１ビット分が拡張された、２０ビットでブロックアドレスが記述される。当該拡張されたアドレス値は０ｘ７ＦＦＦＦより大きい値を記述可能である。【００９０】
上述の説明は、ＢＤおよび高密度ディスクに付加されているアドレスの記述方法に関する例である。一方で、ＢＤおよび高密度ディスクに記録されるデータにも、アドレスが付加される。【００９１】
以下、ＢＤに記録されるデータに付加されるアドレスフォーマットを説明する。【００９２】
図９は、ＢＤおよび高密度ディスクに共通のデータ構造と、ＢＤおよび高密度ディスクのデータに付加される各データアドレスフォーマットを示している。【００９３】
データは、６４ｋＢ毎にブロックに分割され、ブロックはさらに２ｋＢ毎に３２個のセクタに分割されて記録される。２セクタはまとめてデータユニットとして取り扱われ、各データユニットの先頭に４バイト（３２ビット）のデータアドレス情報が挿入されてトラックに記録される。【００９４】
記録データに付加されるデータアドレスは、データユニット毎に挿入される。１データユニットは２セクタである。【００９５】
ＢＤ（ディスクＡ）では、データアドレスは３２ビットで表される。内訳は以下のとおりである。上位から順に、ビット番号３１〜２８はフラグビットが割り当てられている。フラグビットとは、ＢＤのファイル管理領域（図示せず）に設けられている欠陥管理リストに、欠陥データアドレスとして登録する際に付加される。ビット番号２７は未使用のリザーブビットである。【００９６】
ビット番号２６〜２４は情報記録層の層番号を表す。ビット番号２３〜５はブロックアドレス情報を表す。ビット番号４〜１は当該ブロック内におけるデータユニット番号を表す。ビット番号４〜１にさらにビット番号０を加えた５ビットは、当該ブロック内におけるセクタ番号を表す。【００９７】
ビット番号０のビット値は、“０”に固定されている。これは、データアドレスはデータユニット毎に先頭に付加されるため、割り振られるセクタ番号は常に偶数になるためである。【００９８】
一方、高密度ディスク（ディスクＢ）については、先の図２、図３の例と同様、ＢＤでは層情報として割り当てられていた３ビットのうちの１ビットを、高密度ディスクではブロックアドレス情報の一部として利用する。図９に示すように、最下位ビットを０ビットとしたときの２４ビットの位置のビットが、ブロックアドレス情報の最上位ビットとして利用される。その結果、層情報は、２ビットで表される。【００９９】
上述の説明では、１ビットのみの割り当てを説明したが、これに限定されない。所定の記録線密度と、所定の記録層数において、所定のＳＮ比を確保できるバランス点を考慮して、トラックアドレスのフォーマットに割り当てられたビット数において、層情報ビット数とアドレスビット数とに割り当てればよい。【０１００】
（実施形態２）
次に、記録線密度に応じて、層情報計算及びアドレス計算を切り替える光ディスク装置の実施形態を説明する。【０１０１】
図１０は、本実施形態による光ディスク装置４５０の構成を示すブロック図である。光ディスク装置４５０は、光ディスク４００からデータを再生し、光ディスク４００にデータを記録することが可能である。なお、データの記を記録する機能は必須ではなく、光ディスク装置４５０は、再生専用の光ディスクプレーヤーであってもよい。このときは、後述する光ディスク装置４５０のデータ記録再生回路の機能のうち、記録データの受け取りおよび光ディスク４５０への書き込み処理を行う機能は不要である。【０１０２】
光ディスク４００は、図１に示すディスクＡまたはディスクＢのいずれかである。どちらの種類の光ディスクが装填されるかに応じて、光ディスク装置４５０は動作を切り替える。【０１０３】
光ディスク装置４５０は、光ディスク４００、光ヘッド４０１、モータ４０２、サーボ回路４０３、トラックアドレス再生回路４０４、ＣＰＵ４０５、データ記録再生回路４０６、データアドレス再生回路４０７を備えている。【０１０４】
サーボ回路４０３、トラックアドレス再生回路４０４、ＣＰＵ４０５、データ記録再生回路４０６、データアドレス再生回路４０７は、１つのチップ回路（光ディスクコントローラ）４４５として実装されている。光ディスクコントローラ４４５は、制御装置として光ディスク装置４５０に組み込まれる。【０１０５】
なお、これらの全てが１チップ化されていなくてもよい。たとえば、サーボ回路４０３は含まれなくてもよい。または、トラックアドレス再生回路４０４を光ヘッド４０１内に組み込んでもよい。さらに、これらを１チップ化せずに個々の回路として別々に設けてもよい。【０１０６】
光ディスク４００は、データを記録するトラックを有し、トラック上には前述の実施形態１に示すアドレスフォーマットに従ってアドレス値が記録されている。トラックは蛇行して形成されており、蛇行の周波数あるいは位相の変調によりアドレス値が記録されている。なお、光ディスク４００は光ディスク装置４５０から取り外し可能であるため、光ディスク装置４５０の必須の構成要素ではないことに留意されたい。【０１０７】
光ヘッド４０１は、光ディスク４００に光ビームを照射し、トラックを走査しながら光ディスク４００からの反射光量を検出して反射光量に応じた電気信号（再生信号）を出力する。いずれも図示されないが、光ヘッド３０１には、光ビームを放射する光源と、光ビームを集束させるレンズと、光ディスク３００の情報記録層で反射した光ビームを受けて、再生信号を出力する受光部が設けられている。【０１０８】
モータ４０２は、光ディスク４００を指定された回転数で回転させる。【０１０９】
サーボ回路４０３は、光ヘッド４０１からの再生信号から光ビームのトラックへの集光状態に応じたサーボエラー信号を生成し、サーボエラー信号を用いて、トラックにおける光ヘッド４０１からの光ビームの集光状態、トラックの走査状態が最適になるように制御を行う。また、光ビームを照射する光ディスク４００上の半径位置およびモータ４０２の回転数を最適に制御する。【０１１０】
トラックアドレス再生回路４０４は、光ヘッド４０１からの再生信号から光ディスク４００のトラックの蛇行に応じたウォブル信号を抽出し、ウォブル信号からトラックに予め記録された２４ビットのアドレス値を復調する。また、トラック上のブロック単位およびサブブロック単位の同期位置の検出も行う。【０１１１】
ＣＰＵ４０５は、トラックアドレス再生回路４０４で復調されたアドレス値を得て、サーボ回路４０３に指示してデータの記録および再生を行うブロックを検索し、検索したブロック位置においてデータ記録再生回路４０６に対し記録動作、再生動作の指示を出す。これにより、データ記録再生回路４０６は、行おうとしている記録動作または再生動作に適合した照射パワーで、光ヘッド４０１がレーザを照射するよう制御する。【０１１２】
なお、本実施形態においては、トラックアドレス再生回路４０４から得られるアドレス値の算出処理をＣＰＵ４０５が行うとしている。しかしながら、この判定処理は、トラックアドレス再生回路４０４によっておこなわれてもよい。【０１１３】
データ記録再生回路４０６は、ＣＰＵ４０５からデータ記録の指示を受けたとき、記録データに対しエラー訂正符号の付加と、所定のフォーマットに従ったデータアドレスの付加、および、データ変調処理を施して記録信号を生成する。そしてデータ記録再生回路４０６は、トラックアドレス再生回路４０４で検出された同期位置のタイミングに従って、指定されたブロックに対して記録信号に応じたマークがトラック上に記録されるように光ヘッド４０１の光ビームの強度を制御する。これにより、データが光ディスク３００の情報記録層に記録される。【０１１４】
またデータ記録再生回路４０６は、ＣＰＵ４０５からデータ再生の指示を受けたとき、トラックアドレス再生回路４０４で検出した同期位置のタイミングに従って、指定されたブロックにおいて、光ヘッド３０１から出力された再生信号から光ディスク４００のトラック上に記録されたマークに応じたデータ信号を抽出する。そしてデータ記録再生回路４０６は、データ信号から前述の記録動作のデータ変調に従ったデータ復調を行い、さらにエラー訂正処理を行って再生データを出力する。【０１１５】
データアドレス再生回路４０７は、データ記録再生回路４０６における再生動作時に、データ記録時に付加されたデータアドレスをデータ復調結果から抽出する。そしてデータアドレス再生回路４０７は、トラック上の傷などによりデータ信号に異常が発生したときのデータ復調のタイミングずれの検出や、タイミングの補正を行う。【０１１６】
次に、図１１Ａを参照しながら、本実施形態における光ディスク４００の構成を詳細に説明する。【０１１７】
図１１Ａは、光ディスク４００の領域構成を示す。【０１１８】
光ディスク４００は、情報記録層を含む。情報記録層に記録マークを形成することによって、光ディスク４００にデータが記録される。光ディスク４００には、トラックが同心円状に形成されている。【０１１９】
光ディスク４００は、ＢＣＡ（Ｂｕｒｓｔ  Ｃｕｔｔｉｎｇ  Ａｒｅａ）領域４１０と、リードイン領域４２０と、ユーザー領域４３０と、リードアウト領域４４０とを含む。【０１２０】
ＢＣＡ領域４１０は、予めバーコード状の信号が記録されており、ディスク１枚ごとに異なるメディア識別用の固有の番号や、著作権情報や、ディスク特性情報が含まれる。このディスク特性情報には、情報記録層の層数やアドレス管理方法の識別情報が含まれている。上記ディスク特性情報として、たとえば情報記録層の層数そのものを表す情報、許可層数に応じた所定のビット情報、記録密度に関する情報が含まれている。記録密度に関する情報としては、例えば、光ディスクの記録容量を示す情報、チャネルビット長（記録線密度）を示す情報が挙げられる。【０１２１】
また、この記録密度に関する情報の格納位置は、再生専用型ディスクの場合、ＢＣＡ領域、および／または、記録データ（凹凸ピット）の内部（データに付加されるデータアドレスとして記録）などが考えられる。追記型又は書換型の記録型ディスクの場合は、ＢＣＡ領域、および／または、ＰＩＣ領域、および／または、ウォブル（ウォブルに重畳される副情報として記録）などが考えられる。【０１２２】
ユーザー領域４３０は、ユーザーが任意のデータを記録し得るように構成されている。ユーザー領域４３０には、例えば、ユーザーデータが記録される。ユーザーデータには、例えば、オーディオデータおよびビジュアル（ビデオ）データが含まれる。【０１２３】
リードイン領域４２０は、ユーザー領域４３０とは異なって、ユーザーが任意のデータを記録し得るようには構成されていない。リードイン領域４２０は、ＰＩＣ（Ｐｅｒｍａｎｅｎｔ  Ｉｎｆｏｒｍａｔｉｏｎ  ａｎｄ  Ｃｏｎｔｒｏｌ  ｄａｔａ）領域４２１とＯＰＣ（Ｏｐｔｉｍｕｍ  Ｐｏｗｅｒ  Ｃａｌｉｂｒａｔｉｏｎ）領域４２２とＩＮＦＯ領域４２３を含む。【０１２４】
ＰＩＣ領域４２１には、ディスク特性情報が含まれる。このディスク特性情報には、たとえば上記で説明した、情報記録層の層数、アドレス管理方法の識別情報、アクセスパラメータが記録されている。アクセスパラメータは、例えば、光ディスク４００に複数の記録マークを形成／消去するためのレーザパワーに関するパラメータ、および複数の記録マークを記録するための記録パルス幅に関するパラメータである。【０１２５】
なお、本実施形態においては、ＢＣＡ領域４１０およびＰＩＣ領域４２１のいずれにもディスク特性情報が格納されているとした。しかしながらこれは例であり、この例には限られない。たとえばＢＣＡ領域，ＰＩＣ領域，記録データの内部，ウォブルのいずれか、これらの任意の２以上領域などでもよい。なお、同じディスク特性情報が複数箇所に分けて記録されれば、いずれかから読み出すことができる。よってディスク特性情報の信頼性を確保することが可能となる。また、ディスクの種類が未知であっても、光ディスク装置は、予め位置決めされたそれらの領域にディスク特性情報を格納しておくことで、確実にそのディスクの情報記録層の層数などを知ることができる。【０１２６】
なお、複数の情報記録層が存在する場合、ディスク特性情報が配置される情報記録層（基準層）は、例えば、光ヘッドから最も距離が遠い位置にある層、換言すれば、レーザ光が入射する側の表面から最も深い位置の層であっても構わない。【０１２７】
また、ＢＤのみに対応する過去の機種との互換性を取るために、上記基準層の層情報は、従来と変更しないように、トラックアドレスフォーマットを記録線密度ごとに変更するのが望ましい。【０１２８】
以下、図１１Ｂを参照しながら、この点をより詳細に説明する。【０１２９】
図１１Ｂの（１）は、従来の記録密度のディスクＡ、および、より高い記録密度のディスクＢの情報記録層の構成を示し、図１１Ｂの（２）および（３）は、それぞれ、ディスクＡおよびディスクＢのリードイン領域４２０の具体的な構成を示す。【０１３０】
図１１Ｂの（１）はある光ディスクの情報記録層を示している。内周側（図面の左側）から、クランプ領域、ＢＣＡ領域４１０、リードイン領域４２０、ユーザーデータ領域４３０が順に配置されている。【０１３１】
図１１Ｂの（２）は、ディスクＡの基準層のリードイン領域４２０の具体的配置例を示している。ＰＩＣ領域４２１は半径位置２２．２ｍｍから所定の半径距離Ａを有している。図１１の（３）はディスクＢの基準層のリードイン領域４２０の具体的配置例を示している。ＰＩＣ領域４２１は半径位置２２．２ｍｍから所定の半径距離Ｂを有している。ここで特徴的なのは、ディスクＢのＰＩＣ領域４２１の半径距離Ｂが、ディスクＡのＰＩＣ領域４２１の半径距離Ａと同じ点である。【０１３２】
ディスクＢにおいて単純に記録密度を上げてＰＩＣ領域４２１に情報を記録する場合、チャネルビット長が短くなるため、それに比例してＰＩＣ領域４２１の半径距離Ｂも短くなるはずである。しかし、ディスクＢのＰＩＣ領域４２１にはディスクのアクセスに重要な情報が格納されており、ＰＩＣ領域４２１は安全に再生できるようにしておく必要性がある。例えば予め定められた位置に光ヘッドを機械的に精度よく移動させてＰＩＣ領域４２１の情報を読む光ディスクドライブは、ＰＩＣ領域４２１の半径距離が短くなると再生できない場合がある。そのようなドライブとの下位互換を維持するためにも、半径距離Ｂは半径距離Ａと同じにしておくことが好ましい。【０１３３】
ここで、半径距離Ｂを半径距離Ａと同じにする方法として、たとえば、次の２つの方法が考えられる。第１は、ディスクＢのＰＩＣ領域に関しては、ディスクＢの記録密度ではなく、ディスクＡと同じ記録密度で記録する方法である。この場合、リードイン領域内でも、領域によって記録密度が変わる場合がある。第２は、ディスクＢの記録密度で、ＰＩＣ領域に記録する情報の繰り返し記録する回数を増やす方法である。ＰＩＣ領域に記録する情報は重要な情報であるため、信頼性を確保するために繰り返して記録するが、そのような場合、記録密度は詰めて、繰り返しを増やす（例えば５回から７回に増やす）ことで従来の半径距離Ａと同等にすることが可能となる。【０１３４】
ＯＰＣ領域４２２は、テストデータを記録または再生するための領域である。テストデータの記録または再生は、光ディスク４００にアクセスする光ディスク装置がアクセスパラメータの調整（例えば、記録パワーやパルス幅等の調整）を行う。【０１３５】
ＩＮＦＯ領域４２３は、光ディスク４００にアクセスする装置にとって必要であるユーザー領域４３０の管理情報やユーザー領域４３０の欠陥管理のためのデータが記録される。【０１３６】
図１２は、同一規格の光ディスクであって、層当たりの記録容量が異なる光ディスクを記録再生する場合の起動時の動作の一例を示した図である。【０１３７】
まず図１０の光ディスク装置のＣＰＵ４０５はモータ４０２を所定の回転数で回転させる。そしてＣＰＵ４０５は、光ヘッド４０１から光ディスク４００に所定のパワーでレーザを照射させ、サーボ回路４０３を用いてトラッキング、及びフォーカス制御をかける。【０１３８】
ステップＳ１において、ＣＰＵ４０５は光ディスク４００の内周付近に物理的に構築されたＢＣＡ領域４１０または、ＰＩＣ領域４２１に光ヘッド４０１を移動させる。ＣＰＵ４０５は、トラックアドレス再生回路４０４で復調されたアドレス値を得て、サーボ回路４０３に指示してディスク特性情報を再生する位置を検索し、当該位置から、ディスク特性情報を読み出すよう指示する。【０１３９】
その指示に基づいて、データ記録再生回路４０６はディスク特性情報を読み出し、読み出したディスク特性情報に基づいて情報記録層数やアドレス管理方法の識別情報を再生する。【０１４０】
ステップＳ２において、ＣＰＵ４０５は、上述のディスク特性情報から、どの記録密度用に構成されたディスクであるか識別する。【０１４１】
例えば、ＣＰＵ４０５は、装填された光ディスクがｘＧＢであると判別した場合は、ステップＳ３に進み、ｙＧＢであると判別した場合は、ステップＳ４に進む。【０１４２】
ステップＳ３において、ＣＰＵ４０５は、ｘＧＢの光ディスク用のアドレス管理則に従って、層情報及びブロックアドレス情報を認識できるようにＣＰＵ４０５を設定する。【０１４３】
一方、ステップＳ４において、ＣＰＵ４０５は、ｙＧＢに則したアドレス管理則に従って層情報及びブロックアドレス情報を認識できるようにＣＰＵ４０５を設定する。【０１４４】
それぞれの記録容量での、層情報及びブロックアドレス情報の認識方法は、上記図２で説明したとおりである。【０１４５】
すなわち、ｘＧＢの場合は、ブロックアドレス情報２４ビットの内、上位３ビットを層情報ビット、次の１９ビットをブロックアドレス情報ビット、下位２ビットをサブブロック番号として認識する。一方、ｙＧＢの場合は、ブロックアドレス情報２４ビットの内、上位２ビットを層情報ビット、次の２０ビットをブロックアドレス情報ビット、下位２ビットをサブブロック番号として認識する。例えば、ｘ＝２５、ｙ＝３３である。【０１４６】
ステップＳ３において、記録線密度ごとに割り当てられたアドレス管理則に従って、アドレスを再生し、光ヘッド４０１が現在いる位置を正確に認識し、所定の位置に光ヘッド４０１を移動させて、起動の一連の処理が完了する。【０１４７】
ディスク特性情報の認識前に、光ディスク装置４５０が上記基準層と異なった層にフォーカス及びトラッキングをかけ、アドレス情報を読んだ場合、層情報及びブロックアドレス情報の配置が異なるため、アドレス位置を誤判別する可能性がある。これを回避するために、上記基準層と他の層との中間層を他の層間の中間層よりも大きく確保して、層判別の誤判別を防いでもよい。例えば、ＢＤの２層対応の規格における基準層のＬ０層は、レーザ光から見れば、約１００ｕｍの深さの位置に、Ｌ１層は、約７５ｕｍの位置に構成されている。本発明では、Ｌ１層への誤引き込みを防ぐために、Ｌ１層以降のレーザ光に近い側に構成される記録層を７５ｕｍよりもレーザ光側に構成すればよい。例えば、Ｌ１層は７０ｕｍの位置である。あまり極端に基準層とＬ１層との間の中間層の幅（厚さ）を大きくすると、Ｌ２層以降の中間層の幅を十分に確保することが困難となる。そのため、Ｌ１層への誤引き込みがなく、他層の中間層の幅を確保できるバランスが必要となる。【０１４８】
なお、上述の実施形態の説明において、予め記録されたアドレスおよび記録されるデータアドレスのアドレスフォーマットの具体的な例を示したが、これに限定されるものではない。【０１４９】
なお、上述の実施形態の説明において、トラックに対するアドレス値の記録はトラックの蛇行（ウォブリング）によるものとしたが、これに限定されるものではなく、トラック間のピット、トラック上のビットによっても実現され得る。【０１５０】
なお、上述の実施形態の説明において、データを記録可能な光ディスクに対する光ディスク装置の例を示したが、データがあらかじめ記録されている再生のみ可能な光ディスクに対する光ディスク装置であってもよい。【０１５１】
なお、本発明の光ディスク装置の構成要素は集積回路であるＬＳＩとして実現され得る。光ディスク装置が備える構成要素は個別に１チップ化されてもよいし、一部または全てを含むように１チップ化されてもよい。【０１５２】
ここでは、集積回路をＬＳＩと呼んだが、集積度の違いにより、ＩＣ、ＬＳＩ、スーパーＬＳＩ、ウルトラＬＳＩと呼称されることもある。【０１５３】
また、本発明の集積回路はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。【０１５４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。【０１５５】
なお最後に、本発明の光ディスクの一例として、ＢＤ（ブルーレイディスク）について、簡単に補足説明をする。ブルーレイディスクの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。【０１５６】
ＢＤでは、波長４０５ｎｍ（誤差範囲の許容値を±５ｎｍとすれば、４００〜４１０ｎｍ）のレーザ光およびＮＡ＝０．８５（誤差範囲の許容値を±０．０１とすれば、０．８４〜０．８６）の対物レンズを用いる。トラックピッチは０．３２μｍであり、チャネルクロック周波数はＢＤ標準転送レート（１Ｘ）において６６ＭＨｚ（６６．０００Ｍｂｉｔ／ｓ）であり、ＢＤ４ｘの転送レートでは２６４ＭＨｚ（２６４．０００Ｍｂｉｔ／ｓ）、ＢＤ６ｘの転送レートでは３９６ＭＨｚ（３９６．０００Ｍｂｉｔ／ｓ）、ＢＤ８Ｘの転送レートでは５２８ＭＨｚ（５２８．０００Ｍｂｉｔ／ｓ）である。標準線速度（基準線速度、１Ｘ）は４．９１７ｍ／ｓｅｃである。【０１５７】
保護層（カバー層）の厚みに関しては、開口数を上げ焦点距離が短くなるのに伴い、またチルトによるスポット歪みの影響を抑えられるよう、ＤＶＤの０．６ｍｍに対して、より薄い保護層、例えば媒体の総厚み１．２ｍｍ程度のうち、保護層の厚みを１０〜２００μｍ（より具体的には、１．１ｍｍ程度の基板に、単層ディスクならば０．１ｍｍ程度の透明保護層、二層ディスクならば０．０７５ｍｍ程度の保護層に０．０２５ｍｍ程度の中間層（ＳｐａｃｅｒＬａｙｅｒ）としてもよい。三層以上のディスクならば保護層及び／又は中間層の厚みはさらに薄くなる。【０１５８】
また、このように薄い保護層への傷つき防止のため、保持領域（Ｃｌａｍｐ  Ａｒｅａ）の外側または内側に突起部を設けてもよい。特に保持領域の内側に設けた場合、保護層の傷つき防止に加え、ディスクの中心穴に近い部分に突起部があるため、突起部の重量バランスによる回転スピンドル（モータ）への負荷を軽減することや、光ヘッドは保持領域の外側にある情報記録領域にアクセスするため保持領域の内側に突起部を設けることで突起部と光ヘッドとの衝突を回避することができる。【０１５９】
そして、保持領域の内側に設けた場合、例えば外径１２０ｍｍのディスクにおける具体的な位置は次のようにしてもよい。仮に中心穴の直径が１５ｍｍ、保持領域が直径２３ｍｍから３３ｍｍの範囲内とした時、中心穴と保持領域の間、つまり直径１５ｍｍから２３ｍｍの範囲内に突起部を設けることになる。その際、中心穴からある程度の距離を設けてもよく（例えば中心穴の縁端から０．１ｍｍ以上（又は／及び０．１２５ｍｍ以下）離してもよい）、また、保持領域からある程度の距離を設けてもよい（例えば保持領域の内端から０．１ｍｍ以上（又は／及び０．２ｍｍ以下）離してもよい）。また、中心穴の縁端と保持領域の内端の両方からある程度の距離を隔てて設けてもよい（具体的な位置として、例えば、直径１７．５ｍｍから２１．０ｍｍの範囲内に突起部を設けてもよい）。なお、突起部の高さとしては、保護層の傷つきにくさや持ち上げ易さのバランスを考慮して決めればよいが、高すぎても別の問題が発生するかも知れないので、例えば、保持領域から０．１２ｍｍ以下の高さとしてもよい。【０１６０】
また、多層の積層の構成に関しては、例えば、レーザ光を保護層の側から入射して情報が再生及び／又は記録される片面ディスクとすると、記録層を二層以上にする場合、基板と保護層の間には複数の記録層が設けられることになるが、その場合における多層構造を次のようにしてもよい。つまり、光入射面から所定の距離を隔てた最も奥側の位置に基準層（Ｌ０）を設け、基準層から光入射面側に層を増やすように積層（Ｌ１，Ｌ２，・・・，Ｌｎ）し、また光入射面から基準層までの距離を単層ディスクにおける光入射面から記録層までの距離と同じ（例えば０．１ｍｍ程度）にする等である。なお、ここでいう「基準層」は、先に言及した「基準層」と異なり、ディスク特性情報の存在は必須ではない。もちろん、ここでいう「基準層」にディスク特性情報を配置してもよい。【０１６１】
このように層の数に関わらず最奥層までの距離を一定にすることで、基準層へのアクセスに関する互換性を保つことができ、また最奥層が最もチルトの影響を受けるが層数の増加に伴い最奥層までの距離が増加することがなくなるため、層数の増加に伴うチルト影響の増加を抑えることが可能となる。先に述べたディスク特性情報やそれに含まれる記録密度に関する情報を格納する領域を、少なくとも基準層に設けることで、これら情報の読み出しに関しても互換性を保つことができる。【０１６２】
また、スポットの進行方向／再生方向に関しては、例えば、全ての層において同じ、つまり全層にて内周方向から外周方向、又は全層にて外周方向から内周方向、というパラレル・パスであっても、オポジット・パス（基準層（Ｌ０）を内周側から外周側の方向とした場合、Ｌ１では外周側から内周側の方向、Ｌ２では内周側から外周側の方向、つまり、Ｌｍ（ｍは０及び偶数）では内周側から外周側の方向、Ｌｍ＋１では外周側から内周側の方向（又は、Ｌｍ（ｍは０及び偶数）では外周側から内周側の方向、Ｌｍ＋１では内周側から外周側の方向）というように層が切り替わる毎に再生方向が逆になる）であってもよい。【０１６３】
次に、記録信号の変調方式について簡単に述べる。データ（オリジナルのソースデータ／変調前のバイナリデータ）を記録媒体に記録する場合、所定のサイズに分割され、さらに所定のサイズに分割されたデータは所定の長さのフレームに分割され、フレーム毎に所定のシンクコード／同期符号系列が挿入される（フレームシンク領域）。フレームに分割されたデータは、記録媒体の記録再生信号特性に合致した所定の変調則に従って変調されたデータ符号系列として記録される（フレームデータ領域）。【０１６４】
ここで変調則としては、マーク長が制限されるＲＬＬ（ＲｕｎＬｅｎｇｔｈＬｉｍｉｔｅｄ）符号化方式などでもよく、ＲＬＬ（ｄ，ｋ）と表記した場合、１と１の間に出現する０が最小ｄ個，最大ｋ個であることを意味する（ｄおよびｋは、ｄ＜ｋを満たす自然数である）。例えばｄ＝１，ｋ＝７の場合、Ｔを変調の基準周期とすると、最短が２Ｔ、最長が８Ｔの記録マーク及びスペースとなる。またＲＬＬ（１，７）変調に更に次の［１］［２］の特徴を加味した１−７ＰＰ変調としてもよい。１−７ＰＰの“ＰＰ”とは、Ｐａｒｉｔｙ  ｐｒｅｓｅｒｖｅ／Ｐｒｏｈｉｂｉｔ  Ｒｅｐｅａｔｅｄ  Ｍｉｎｉｍｕｍ  Ｔｒａｎｓｉｔｉｏｎ  Ｌｅｎｇｔｈの略で、［１］最初のＰであるＰａｒｉｔｙ  ｐｒｅｓｅｒｖｅは、変調前のソースデータビットの“１”の個数の奇偶（すなわちＰａｒｉｔｙ）と、それに対応する変調後ビットパターンの“１”の個数の奇偶が一致していることを意味し、［２］後ろの方のＰであるＰｒｏｈｉｂｉｔ  Ｒｅｐｅａｔｅｄ  Ｍｉｎｉｍｕｍ  Ｔｒａｎｓｉｔｉｏｎ  Ｌｅｎｇｔｈは、変調後の記録波形の上での最短マーク及びスペースの繰り返し回数を制限（具体的には、２Ｔの繰り返し回数を最大６回までに制限）する仕組みを意味する。【０１６５】
一方、フレーム間に挿入されるシンクコード／同期符号系列には前述の所定の変調則は適用されないので、その変調則によって拘束される符号長以外のパターンを含ませることが可能となる。このシンクコード／同期符号系列は、記録されたデータを再生するときの再生処理タイミングを決定するもののため、次のようなパターンが含まれてもよい。【０１６６】
データ符号系列との識別を容易にするという観点からは、データ符号系列には出現しないパターンを含ませてもよい。例えば、データ符号系列に含まれる最長マーク／スペースよりも長いマーク又はスペースやそのマークとスペースの繰り返しである。変調方式が１−７変調の場合、マークやスペースの長さは２Ｔ〜８Ｔに制限されるので、８Ｔよりも長い９Ｔ以上のマーク又はスペースや、９Ｔマーク／スペースの繰り返し等である。【０１６７】
同期引き込み等の処理を容易にするという観点からは、マーク／スペースの遷移を多く発生させるパターンを含ませてもよい。例えば、データ符号系列に含まれるマーク／スペースの内、比較的短いマーク又はスペースやそのマークとスペースの繰り返しである。変調方式が１−７変調方式の場合、最短である２Ｔのマーク又はスペースや、２Ｔマーク／スペースの繰り返しや、次最短である３Ｔのマーク又はスペースや、３Ｔマーク／スペースの繰り返し等である。【０１６８】
前述の同期符号系列とデータ符号系列を含む領域を仮にフレーム領域と呼び、そのフレーム領域を複数（例えば３１個）含む単位を仮にアドレスユニット（Ａｄｄｒｅｓｓ  Ｕｎｉｔ）と呼ぶことにすると、あるアドレスユニットにおいて、そのアドレスユニットの任意のフレーム領域に含まれる同期符号系列と、その任意のフレーム領域以外のフレーム領域に含まれる同期符号系列との符号間距離を２以上にしてもよい。ここで符号間距離とは、２つの符号系列を比較した場合、符号系列中の異なるビットの個数を意味する。この様に符号間距離を２以上にすることで、再生時のノイズの影響などにより一方の読み出し系列が１ビットシフト誤りを起こしても、もう一方と誤識別することがない。また、そのアドレスユニットの先頭に位置するフレーム領域に含まれる同期符号系列と、先頭以外に位置するフレーム領域に含まれる同期符号系列との符号間距離を２以上にしてもよく、この様にすることで、先頭箇所か否か、アドレスユニットの区切り箇所か否かの識別を容易にすることができる。【０１６９】
なお符号間距離は、ＮＲＺ記録のときは符号系列をＮＲＺ表記した場合、ＮＲＺＩ記録の時は符号系列をＮＲＺＩ表記した場合における符号間距離の意味を含んでいる。そのため、もしＲＬＬ変調を採用した記録の場合、このＲＬＬとはＮＲＺＩの記録波形の上で高レベル又は低レベルの信号が続く個数を制限することを意味するものであるため、ＮＲＺＩ表記における符号間距離が２以上ということを意味する。
【産業上の利用可能性】
【０１７０】
本発明は、光ディスク等の記録情報媒体の記録容量を増やす方法として有用であり、記録線密度と情報記録層の層数とを適切に制御するアドレスフォーマットで記録情報媒体のトラックアドレスを構成し、そのアドレスフォーマットに対応できる光ディスク記録再生システムを構築することで、従来の光ディスク記録再生システムとの互換性を保ちつつ、安定な記録再生システムを実現することができる。また、再生したデジタル情報の値の処理方法を変えるだけで対応できるため、大幅なハードウェアの変更は必要なく、システムの複雑化やハードウェア規模増大によるコスト増を防ぐことができる。大容量な光ディスク媒体、光ディスク装置、光ディスク記録再生方法、集積回路に利用できる。
【図１】
2009066470.tif 000003
【図２】
2009066470.tif 000004
【図３】
2009066470.tif 000005
【図４】
2009066470.tif 000006
【図５】
2009066470.tif 000007
【図６】
2009066470.tif 000008
【図７】
2009066470.tif 000009
【図８】
2009066470.tif 000010
【図９】
2009066470.tif 000011
【図１０】
2009066470.tif 000012
【図１１Ａ】
2009066470.tif 000013
【図１１Ｂ】
2009066470.tif 000014
【図１２】
2009066470.tif 000015
【図１３】
2009066470.tif 000016
【図１４】
2009066470.tif 000017
【手続補正書】
【提出日】平成21年6月2日(2009.6.2)
【手続補正１】
【補正対象書類名】明細書
【補正対象項目名】全文
【補正方法】変更
【補正の内容】
【発明の詳細な説明】
【技術分野】
【０００１】
本発明は、光ディスク等の情報記録媒体の所定の位置に情報を正しく記録し、当該情報を正しく再生するために用いるアドレス情報のフォーマット、および該アドレス情報フォーマットに従った情報の記録再生の技術に関する。
【背景技術】
【０００２】
近年高密度の光ディスクの研究開発が盛んに行われている。現在、たとえば、Ｂｌｕ−ｒａｙ  Ｄｉｓｃ（ＢＤ）が提案、実用化され、デジタル放送の録画等に使用されるようになり、光ディスクは重要な情報媒体としての地位を築きつつある。また更なる高密度化の流れとして、現在、規格化されているＢＤよりも記録容量を拡大する研究開発も行われている。これらは例えば、非特許文献１に記載されている。
【０００３】
光ディスク１枚当たりの記録容量を増やすためには、記録膜（または「情報記録層」ともいう。）を複数枚積層する方法が考えられる。図１３は、多層の相変化薄膜ディスクの構成例を示している。図示された光ディスクは、（ｎ＋１）層の情報記録層５０２で構成されている。その構成を具体的に説明すると、光ディスクには、レーザ光５０５が入射する側の表面から順に、カバー層５０１、（ｎ＋１）枚の情報記録層（Ｎｎ〜Ｌ０層）５０２、そしてポリカーボネート基板５００が積層されている。また、（ｎ＋１）枚の情報記録層５０２の層間には、光学的緩衝材として働く中間層５０３が挿入されている。このように、層当たりの記録容量を維持しつつ、多層構造を採用することにより、光ディスク１枚当たりの記録容量を増やすことが可能である。
【０００４】
光ディスク１枚当たりの記録容量を増やすためには、他に、記録線密度を向上させる方法、および／または、トラックピッチ（記録溝の幅）を狭くする方法が考えられる。
【０００５】
記録線密度を向上させる方法では、記録マーク長を小さくすることで記録容量の増加を実現できる。例えば、記録容量２５ギガバイト（ＧＢ）のＢＤの場合、最短マーク長は０．１４９ｕｍであり、この値は基準となる長さＴを用いると「２Ｔ」と表すことができる。その基準となるＴを小さくすることで、記録容量の向上を実現できる。なお、Ｔは基準チャネル時間を示し、Ｔ長は、０．０７４５ｕｍである。例えば、Ｔ長を２５ＧＢの０．０７４５ｕｍから０．０６２ｕｍ程度にすると、層当たりの記録容量を３０ＧＢにすることが可能である。
【０００６】
また、トラックピッチを狭くする方法として、たとえばＢＤのトラックピッチ０．３２ｕｍよりも狭いトラックピッチを設けることにより、記録容量の増加を実現できる。
【０００７】
一般的に、光ディスクには、情報記録媒体の所定の位置に情報を正しく記録再生するため、所定のフォーマットで定義されたアドレス情報が記述されている。そのアドレス情報は、情報が記録されるトラックがサイン波状に蛇行して形成されたウォブルによって表されるウォブル信号に挿入される場合と、記録された情報（データ）内部に挿入される場合がある。これらについては、例えば、特許文献１に記載されている。
【０００８】
図１４は、従来の光ディスクにおいて、トラックに予め記録されているトラックアドレスのフォーマットの例を示している。
【０００９】
トラックは、データの記録単位６４キロバイト（ｋＢ）毎にブロックに分けられて、順にブロックアドレス値が割り振られている。ブロックは、所定の長さのサブブロックに分割され、３個のサブブロックで１ブロックを構成している。サブブロックは、前から順に０から２までのサブブロック番号が割り振られている。
【００１０】
多層光ディスクにおける層番号を示す３ビットのデジタル情報と、ブロックアドレスを表す１８ビットのデジタル情報と、サブブロック番号を表す２ビットのデジタル情報をあわせた合計２３ビットのデジタル情報とが、サブブロック毎にトラックに予め記録されている。当該従来の光ディスクの記録再生を行う光ディスク装置は、サブブロック毎に前記２３ビットのデジタル情報を再生することにより、層番号とブロックアドレスとサブブロック番号を追従しながらターゲットブロックを検索し、ターゲットブロックに対してデータの記録あるいは再生を行うことができる。
【００１１】
記録容量を増やすと同時に、その容量を向上させる方法に応じて、たとえば層番号とブロックアドレスとサブブロック番号とを増やすことにより、増えた記録容量に対応する各位置を特定することが可能になる。
【先行技術文献】
【非特許文献】
【００１２】
【非特許文献１】図解  ブルーレイディスク読本  オーム社
【特許文献】
【００１３】
【特許文献１】特開２００４−１３４００９号公報
【発明の概要】
【発明が解決しようとする課題】
【００１４】
複数の情報記録層を積層すると同時に記録線密度を向上させると、さらに光ディスク１枚当たりの記録容量を増やすことができる。しかしながら、そのような構成では、安定したデータの記録および／または再生を実現するシステムの構築が困難となる場合があった。
【００１５】
まず、情報記録層を多層に積層し記録容量を増やすと、再生時、多層化に起因して、各情報記録層において再生信号振幅の低下、すなわちＳＮ比（Ｓｉｇｎａｌ  ｔｏ  Ｎｏｉｓｅ  Ｒａｔｉｏ；ＳＮＲ）が劣化する。そのため、その振幅低下を補償するための広範囲の振幅可変アンプと、ＳＮ比劣化分に対して十分の再生性能を維持するための信号処理の実現が必要となる。また、光ディスクにおいて情報記録層が設けられる厚さ方向の範囲の制限下で、多層化を図るため、多層迷光すなわち、隣接する情報記録層からの信号の影響が大きくなり、さらに、再生信号のＳＮ比劣化が発生する場合があった。
【００１６】
一方、記録線密度を向上させて記録容量を増やす方法によれば、記録マークが小さくなるという単純な理由で、ＳＮ比劣化が発生する。
【００１７】
また、トラックピッチを狭くして記録容量を増やす方法によれば、既存の光ディスクの構造と比較すると光ディスクの構造が大きく変わるため、光ディスク装置の光学的構成の大幅な見直しが必要になる。現在の規格化との互換という観点では、光学ヘッドのコストアップが生じ、実現性が乏しい。
【００１８】
このように、情報記録層を多層に積層し、同時に、記録線密度を向上させて記録容量を増やすことで、光ディスクから情報を再生する時の再生信号のＳＮ比劣化が顕著となる。このＳＮ比劣化は、情報記録層の層数を増やせば増やすほど、および、記録線密度を向上させればさせるほど発生する。
【００１９】
本発明は上記課題に鑑みてなされたものであり、その目的は、必要なＳＮ比が確保可能な範囲で光ディスク等の記録情報媒体の記録容量を増大させるために、記録線密度と情報記録層の層数とを適切に制御する記録媒体のためのアドレスフォーマットを提供することにある。併せて本発明の目的は、そのようなアドレスフォーマットで記録情報媒体のトラックアドレスを構成し、そのアドレスフォーマットに対応できる光ディスク記録再生システムを構築することにある。
【課題を解決するための手段】
【００２０】
本発明による光ディスクは、同心円上又はスパイラル状のトラックを含む情報記録層を備え、前記トラックに予め記録された、又は、前記情報記録層に記録されるデータに付加される、トラックアドレスを記述するためのフォーマットを有する光ディスクであって、前記フォーマットは、前記情報記録層に関する層情報、及び、前記トラックアドレスに関するアドレス情報を含み、第１の記録密度を有する第１の光ディスクにおいては、前記第１の光ディスクの層情報は第１ビット数で記述され、前記第１の光ディスクのアドレス情報は第２ビット数で記述され、前記第１の記録密度よりも大きな第２の記録密度を有する第２の光ディスクにおいては、前記第１ビット数よりも少ないビット数で前記第２の光ディスクの層情報が特定され、前記第２ビット数よりも多いビット数で前記第２の光ディスクのアドレス情報が特定され、前記第２の光ディスクの層情報および前記第２の光ディスクのアドレス情報の合計ビット数は、前記第１ビット数と前記第２ビット数の和と等しい。
【００２１】
前記光ディスクは再生専用型で、前記データは凹凸ピットで形成されていてもよい。
【００２２】
本発明による方法は、上述の光ディスクを再生する方法であって、前記層情報を再生するステップと、前記アドレス情報を再生するステップとを包含する。
【００２３】
本発明による光ディスクは、情報記録層を備えた光ディスクであって、前記情報記録層においては、トラックに予め記録された、または、データに付加されるトラックアドレスを記述するためのフォーマットが予め定められており、前記情報記録層は、前記情報記録層の記録密度に関する情報を格納する領域を含み、前記フォーマットは、前記情報記録層に関する層情報、及び、前記トラックアドレスのアドレス情報 を含み、前記層情報は第１ビット数で記述され、前記アドレス情報は第２ビット数で記述されており、前記記録密度に関する情報が所定の値を超える場合において、前記層情報が前記第１ビット数よりも少ないビット数で記述され、前記アドレス情報が第２ビット数よりも多いビット数で記述され、かつ、前記層情報および前記アドレス情報の合計ビット数は前記第１ビット数と前記第２ビット数の和と等しい。
【００２４】
前記光ディスクは、長さが異なる複数種類のマークを用いてデータが記録される光ディスクであって、前記複数種類のマークのうち、少なくともいずれか一つのマークを再生したときの再生信号の周波数である空間周波数がＯＴＦカットオフ周波数よりも高くてもよい。
【００２５】
前記光ディスクは、トラックに照射するレーザの波長をλｎｍ、レーザをトラックに集光する対物レンズの開口数をＮＡ、トラック上に記録される最短マーク長をＴＭｎｍ、最短スペース長をＴＳｎｍとしたとき、（ＴＭ＋ＴＳ）  ＜  λ÷（２ＮＡ）となってもよい。
【００２６】
前記光ディスクは、前記最短マーク長ＴＭと最短スペース長ＴＳを加算した長さＴＭ＋ＴＳが、２３８．２ｎｍ未満であってもよい。
【００２７】
前記光ディスクは、所定の変調則に従って変調した複数種類のマークを記録することが可能であり、前記変調の基準周期をＴとした場合、前記最短マーク長は２Ｔ、前記最短スペース長は２Ｔであってもよい。
【００２８】
前記光ディスクには、所定の変調則に従って変調した複数種類のマークを記録することが可能であり、前記所定の変調則は、１−７変調則であってもよい。
【００２９】
前記記録密度に関する情報は、前記情報記録層における記録容量を示す情報であってもよい。
【００３０】
前記所定の値は２５ギガバイトであってもよい。
【００３１】
前記記録密度に関する情報は、前記情報記録層における記録線密度を示す情報であってもよい。
【００３２】
前記情報記録層に設けられたトラックの幅は同一であり、複数の記録密度が許容されていてもよい。
【００３３】
前記アドレス情報および前記層情報は、前記トラックのウォブルによって表され、又は、前記記録されるデータの内部に記述されており、前記層情報を示すビット列は、前記アドレス情報を示すビット列よりも上位に配置されていてもよい。
【００３４】
前記光ディスクは、ＢＣＡ領域およびリードイン領域を備え、前記リードイン領域にはＰＩＣ領域が含まれており、前記ＢＣＡ領域または前記ＰＩＣ領域に、前記記録密度に関する情報が記録されていてもよい。
【００３５】
本発明による方法は、上述の光ディスクを再生する方法であって、前記ＢＣＡ領域又は前記ＰＩＣ領域から、前記記録密度に関する情報を再生するステップを包含する。
【００３６】
前記光ディスクは、光照射面から最も遠い位置に配置される情報記録層である基準層と、前記基準層よりも前記光照射面側に配置される情報記録層である第１の情報記録層と、前記基準層と前記第１の情報記録層との間に配置される中間層である第１の中間層とを備え、前記基準層は、前記記録密度に関する情報を格納する領域を含んでいてもよい。
【００３７】
前記光ディスクは、前記第１の情報記録層よりも前記光照射面側に配置される情報記録層である第２の情報記録層と、前記第１の情報記録層と前記第２の情報記録層との間に配置される中間層である第２の中間層とを備え、前記第１の中間層の幅は、前記第２の中間層の幅より大きくてもよい。
【００３８】
本発明による光ディスク装置は、上述の光ディスクに対し、データの記録および再生の少なくとも一方を行うことが可能な光ディスク装置であって、前記光ディスクに対して光ビームを放射し、反射光の光量に応じた再生信号を出力する出力手段と、前記ＢＣＡ領域または前記ＰＩＣ領域から、前記記録密度に関する情報を再生する第１の再生手段と、前記再生信号に基づいて、前記層情報および前記アドレス情報を再生する第２の再生手段と、前記第１の再生手段によって再生される前記記録密度に関する情報に応じて、前記第１ビット数よりも少ないビット数で前記層情報を認識し、前記第２ビット数よりも多いビット数で前記アドレス情報を認識する認識手段と、ビット数が変更して認識された前記層情報および前記アドレス情報に基づいて、データの記録および再生の少なくとも一方を行う。
【００３９】
本発明による装置は、上述の光ディスクに対し、データの記録および再生の少なくとも一方を行うことが可能な光ディスク装置に組み込まれる制御装置であって、前記制御装置は、前記ＢＣＡ領域または前記ＰＩＣ領域から、前記記録密度に関する情報の再生を指示する第１の再生指示手段と、前記光ディスクからの再生信号に基づいて、前記層情報および前記アドレス情報の再生を指示する第２の再生指示手段と、前記第１の再生指示手段によって再生される前記記録密度に関する情報に応じて、前記第１ビット数よりも少ないビット数で前記層情報を認識し、前記第２ビット数よりも多いビット数で前記アドレス情報を認識する認識手段とを備えている。
【００４０】
前記課題を解決するため、本発明の光ディスク媒体は、少なくとも２つ以上の記録層を備えた光ディスク媒体であって、前記光ディスク媒体は、トラックに予め構成された、または、データ記録後に構成されるトラックアドレスのフォーマットを備え、前記フォーマットは、少なくとも層情報及び、アドレス情報を含み、前記光ディスク媒体に記録されるデータの記録線密度に応じて、前記層情報と前記アドレス情報のトータルのビット数を変えないで、ビット配置を変更するように構成されたことを特徴とする。
【００４１】
また、前記記録線密度は、前記光ディスク媒体に記録されるデータの最短マーク周波数がＯＴＦ帯域より高い場合、最短マーク周波数がＯＴＦ帯域より低い場合に比べて、前記層情報数を減らすように構成であってもよい。
【００４２】
また、前記光ディスク媒体は、すべての記録層において、記録されるトラックの幅が同一で、複数の記録線密度を許容してもよい。
【００４３】
また、前記層情報数の情報は、記録されるデータ内部または、ウォブルの蛇行情報内部に含まれたトラックアドレスフォーマット情報の上位のビットとして配置された情報であってもよい。
【００４４】
また、前記記録線密度を示す情報は、前記光ディスク媒体に予め記録されたＢＣＡ領域または、ＰＩＣ領域の情報内に記録されていてもよい。
【００４５】
本発明の光ディスク装置は、少なくとも２つ以上の記録層を備えた光ディスク媒体を記録または再生する光ディスク装置であって、前記光ディスク媒体上に予め記録されたＢＣＡ領域または、ＰＩＣ領域の情報内に含まれる記録線密度情報を再生する物理情報再生手段と、前記光ディスク媒体上のトラックに予め構成された、または、記録後に構成されるトラックアドレスのフォーマットに含まれる少なくとも層情報及び、アドレス情報を再生するアドレス再生手段と、を備え、前記物理情報再生手段によって再生される前記記録線密度情報に応じて、前記アドレス再生手段によって再生される前記層情報及び、前記アドレス情報のビット配置を変更してアドレス情報を再生することを特徴とする。
【００４６】
また、前記記録線密度情報は、前記光ディスク媒体に記録されるデータの最短マーク周波数がＯＴＦ帯域より高い場合をＡと、最短マーク周波数がＯＴＦ帯域より低い場合をＢと識別する情報であって、前記識別信号が、Ａと示した場合は、Ｂと示した場合と比較して、前記層情報数を減らすように前記アドレス情報ビットを配置変更してアドレス情報を再生してもよい。
【００４７】
本発明の光ディスク記録再生方法は、少なくとも２つ以上の記録層を備えた光ディスク媒体を記録または再生する光ディスク記録再生方法であって、前記光ディスク媒体上に予め記録されたＢＣＡ領域または、ＰＩＣ領域の情報内に含まれる記録線密度情報を再生する物理情報再生ステップと、前記光ディスク媒体上のトラックに予め構成された、または、記録後に構成されるトラックアドレスのフォーマットに含まれる少なくとも層情報及び、アドレス情報を再生するアドレス再生ステップと、を備え、前記物理情報再生手段によって再生される前記記録線密度情報に応じて、前記アドレス再生手段によって再生される前記層情報及び、前記アドレス情報のビット配置を変更してアドレス情報を再生することを特徴とする。
【００４８】
また、前記記録線密度情報は、前記光ディスク媒体に記録されるデータの最短マーク周波数がＯＴＦ帯域より高い場合をＡと、最短マーク周波数がＯＴＦ帯域より低い場合をＢと識別する情報であって、前記識別信号が、Ａと示した場合は、Ｂと示した場合と比較して、前記層情報数を減らすように前記アドレス情報ビットを配置変更してアドレス情報を再生してもよい。
【００４９】
本発明の集積回路は、少なくとも２つ以上の記録層を備えた光ディスク媒体に対して記録または再生の制御する集積回路であって、前記光ディスク媒体上に予め記録されたＢＣＡ領域または、ＰＩＣ領域の情報内に含まれる記録線密度情報を再生する物理情報再生回路と、前記光ディスク媒体上のトラックに予め構成された、または、記録後に構成されるトラックアドレスのフォーマットに含まれる少なくとも層情報及び、アドレス情報を再生するアドレス再生回路と、を備え、前記物理情報再生手段によって再生される前記記録線密度情報に応じて、前記アドレス再生手段によって再生される前記層情報及び、前記アドレス情報のビット配置を変更してアドレス情報を再生することを特徴とする。
【００５０】
また、前記記録線密度情報は、前記光ディスク媒体に記録されるデータの最短マーク周波数がＯＴＦ帯域より高い場合をＡと、最短マーク周波数がＯＴＦ帯域より低い場合をＢと識別する情報であって、前記識別信号が、Ａと示した場合は、Ｂと示した場合と比較して、前記層情報数を減らすように前記アドレス情報ビットを配置変更してアドレス情報を再生してもよい。
【発明の効果】
【００５１】
本発明によれば、光ディスク等の記録情報媒体の記録容量を増やすために、記録線密度と情報記録層の層数とを適切に制御するアドレスフォーマットで記録情報媒体のトラックアドレスを構成し、そのアドレスフォーマットに対応できる光ディスク記録再生システムを構築する。これにより、従来の光ディスク記録再生システムとの互換性を保ちつつ、安定な記録再生システムを実現することができる。また、再生したデジタル情報の値の処理方法を変えるだけで対応できるため、大幅なハードウェアの変更は必要なく、システムの複雑化やハードウェア規模増大によるコスト増を防ぐことができる。
【図面の簡単な説明】
【００５２】
【図１】実施形態１による光ディスク１の物理的構成を示す図である。
【図２】実施形態１による光ディスク１のトラック２において、予め記録されているトラックアドレスのフォーマットの例を示す図である。
【図３】図２のディスクＢに関する変形例を示す図である。
【図４】（Ａ）はＢＤの例を示す図であり、（Ｂ）は、ＢＤよりも高記録密度の光ディスクの例を示す図である。
【図５】トラック上に記録されたマーク列に光ビームを照射させている様子を示す図である。
【図６】ＢＤ２５ＧＢ記録容量の場合のＯＴＦと最短記録マークの関係を示す図である。
【図７】最短マーク（２Ｔ）の空間周波数がＯＴＦカットオフ周波数よりも高く、かつ、２Ｔの再生信号の振幅が０になっている例を示す図である。
【図８】記録可能データ量とアドレス値との関係を示す図である。
【図９】ＢＤのデータ構造、および、データアドレスフォーマットを示す図である。
【図１０】実施形態２による光ディスク装置４５０の構成を示すブロック図である。
【図１１Ａ】光ディスク４００の領域構成を示す図である。
【図１１Ｂ】（１）は、従来の記録密度のディスクＡおよびより高い記録密度のディスクＢの情報記録層の構成を示し、（２）および（３）は、それぞれ、ディスクＡおよびディスクＢのリードイン領域４２０の具体的な構成を示す図である。
【図１２】光ディスク装置４５０の起動時の動作の手順の例を示す図である。
【図１３】多層の相変化薄膜ディスクの構成例を示す図である。
【図１４】従来の光ディスクにおいて、トラックに予め記録されているトラックアドレスのフォーマットの例を示す図である。
【発明を実施するための形態】
【００５３】
（実施形態１）
図１は、本実施形態による光ディスク１の物理的構成を示す。円盤状の光ディスク１には、たとえば同心円状またはスパイラル状に多数のトラック２が形成されており、各トラック２には細かく分けられた多数のセクタが形成されている。なお、後述するように、各トラック２には予め定められたサイズのブロック３を単位としてデータが記録される。
【００５４】
本実施形態による光ディスク１は、従来の光ディスク（たとえばＢＤ）よりも情報記録層１層あたりの記録容量が拡張されている。記録容量の拡張は、記録線密度を向上させることによって実現されており、たとえば光ディスクに記録される記録マークのマーク長をより短くすることによって実現される。ここで「記録線密度を向上させる」とは、チャネルビット長を短くすることを意味する。このチャネルビットとは、所定の変調則によってマークを記録する場合における、変調の基準周期Ｔに相当する長さをいう。
【００５５】
なお、光ディスク１は多層化されていてもよい。その層数は、後述する本実施形態によるフォーマットの層情報によって記述可能な範囲内である。ただし、以下では説明の便宜のため、１つの情報記録層にのみ言及する。
【００５６】
なお、複数の情報記録層が設けられている場合において、各情報記録層に設けられたトラックの幅が同一であるときでも、層ごとにマーク長を一様に変化させて層ごとに記録線密度を異ならせてもよい。
【００５７】
記録容量の拡張に対応して、本実施形態ではアドレスの記述方法も拡張している。以下、具体的に説明する。
【００５８】
トラック２は、データの記録単位６４ｋＢ（キロバイト）毎にブロックに分けられて、順にブロックアドレス値が割り振られている。ブロックは、所定の長さのサブブロックに分割され、３個のサブブロックで１ブロックを構成している。サブブロックは、前から順に０から２までのサブブロック番号が割り振られている。
【００５９】
図２は、本実施形態による光ディスク１のトラック２において、予め記録されているトラックアドレスのフォーマットの例を示している。「ディスクＡ：ｘＧＢ／層」が、参考のために示した従来の光ディスクに対応するフォーマットであり、「ディスクＢ：ｙＧＢ／層」が、本実施形態による光ディスクに対応するフォーマットである。
【００６０】
ｘＧＢ／層の記録密度の光ディスクＡでは、アドレス情報４は、層番号を示す３ビットの層情報と、ブロックアドレスを表す１９ビットのブロックアドレス情報６と、サブブロック番号を表す２ビットのサブブロック番号情報をあわせた合計２４ビットで記述される。このアドレス情報４は、サブブロック毎にトラック２に予め記録されている。
【００６１】
当該従来の光ディスクの記録再生を行う光ディスク装置は、サブブロック毎に２４ビットのアドレス情報４を再生することにより、層番号、ブロックアドレスおよびサブブロック番号を追従しながらターゲットブロックを検索し、ターゲットブロックに対してデータの記録あるいは再生を行うことができる。
【００６２】
本例では、層情報はアドレス情報４の最上位に位置する３ビットで記述され、０ｘ０〜０ｘ７（１６進数表記）で計８層を表現可能である。記述方法は、たとえば最下位ビット０から数えたときの第２１ビットの位置（ビット位置５）を層情報の最下位ビットとし、２３ビット目が層情報の最上位ビットとして、２進数で層番号が表記される。
【００６３】
１９ビットのブロックアドレス情報６は、０ｘ００００から０ｘ７ＦＦＦの範囲でアドレスを表現できる。たとえばＢＤでは、とり得るブロックアドレスの最大値が０ｘ７ＦＦＦＦであり、１ブロックあたり６５５３６バイト（Ｂ）のユーザーデータを記録可能である。よって、最大記録可能容量は約３２．２ＧＢとなる。
【００６４】
最下位の２ビットに割り当てられたサブブロック番号情報は、０ｘ０〜０ｘ３で計４つのサブアドレスを表現できる。
【００６５】
一方、本実施形態による、ｙＧＢ／層の記録密度のディスクＢ（１層当たり、上述のｘＧＢ／層を超える記録密度）においては、アドレス情報４が合計２４ビットで記述される点は、上述のディスクＡのアドレス情報と同じである。また、サブブロック番号情報についてもディスクＢはディスクＡと同じである。
【００６６】
しかしながら、ディスクＡでは３ビット割り当てられていた層情報が、ディスクＢでは２ビットに制限されている。ディスクＢでは、層情報は、たとえば最下位ビットから数えたときの２２ビット目および２３ビット目で記述される。
【００６７】
そして、ディスクＡで層情報の一部として割り当てられていた、最下位ビットから数えたときの２１ビット目（ビット位置５）に存在する１ビットが、ブロックアドレス情報７の一部に割り当てられている。すなわち、ブロックアドレス情報７は２０ビットで記述されるデジタル情報となる。
【００６８】
本実施形態にかかるディスクＢのフォーマットを採用すると、１情報記録層当たりの記録密度を所定以上に向上させる代わりに、記録許容層数がアドレスフォーマット上で半分に制限される。つまり、記録許容層数が従来のディスクＡと比較すると物理的に制限されることになる。これにより、ＳＮ比が劣化するほどの多層化を制限することが可能になる。
【００６９】
また、従来のディスクＡでは層情報として割り当てられていた３ビットのうちの１ビットを、ディスクＢではブロックアドレス情報７の一部として利用する。これにより、記録密度向上により、より多く記述しなければならないブロックアドレスの必要性にも対応することが可能になる。すなわち、アドレスビット不足対策が可能になる。
【００７０】
このように、本実施形態にかかるアドレスフォーマットによれば、層情報の制限をするために光ディスクのアドレス構造をある所定以上の密度から変更する構成によって、所望のＳＮ比を確保することができる。
【００７１】
なお、本発明の実施例では、具体例として、図２のビット配置図を用いて説明したが、これに限定されない。層情報ビット、ブロックアドレスビット、サブブロックビットの配置は異なっていてもよい。また、ビット数も異なっていてもよい。
【００７２】
また、アドレス情報２４ビットの内、上位３ビットの層情報の制限として、最下位ビットから数えたときの２２ビット目をアドレス情報に変換する例を説明したが、層情報ビットをブロックアドレスビットに割り当てる方法は、上記に限定されない。２３ビット目でも、２４ビット目でも、すなわち、層情報を表すどのビット情報でもアドレス情報に変換することができる。割り当てるビット数及びビット位置は上記に限定されない。
【００７３】
たとえば、図３は、図２のディスクＢに関する変形例を示す。この例では、ディスクＡにおいて層情報を構成していた３ビットの最上位ビット（ビット位置５）が、ディスクＢにおけるブロックアドレス情報の一部として利用されている。その結果、本例においても、ブロックアドレス情報は２０ビットで表現される。他の構成は、図２と同じであるため、説明は省略する。
【００７４】
この構成によれば、ディスクＡおよびディスクＢのいずれにおいても、最下位ビットから数えたときの２１ビット目および２２ビット目に必ず層情報の下位２ビットが記述されていることになる。両方のディスクに対応する装置は、層情報の下位２ビットについては常に同じビット位置のビット値を読み出して層情報を取得することができる。
【００７５】
例えば、単層ディスクにおける層情報／多層ディスクにおける第１層目の層情報を「０００」、多層ディスクにおける第２層目の層情報を「００１」、多層ディスクにおける第３層目の層情報を「０１０」、多層ディスクにおける第４層目の層情報を「０１１」、多層ディスクにおける第５層目の層情報を「１００」、等と記述する場合には、５層以上（５層〜８層）のディスクの場合に使用される最上位ビットがアドレス情報として使用される。つまり、下位２ビットは同じ位置のビットを読み出して取得できるため、４層以下のディスクの層情報の取得に関しては、変更を加える必要がなくなる。
【００７６】
次に、層情報の制限を変化させる記録線密度について、ＢＤの場合を具体例として挙げながら、図４、図５および図６を用いて説明する。
【００７７】
図４（Ａ）はＢＤの例を示す。ＢＤでは、レーザ１２３の波長は４０５ｎｍ、対物レンズ２２０の開口数（Ｎｕｍｅｒｉｃａｌ  Ａｐｅｒｔｕｒｅ；ＮＡ）は０．８５である。このＢＤは、上述の図２ではディスクＡに対応する。
【００７８】
ＤＶＤ同様、ＢＤにおいても、記録データは光ディスクのトラック２上に物理変化のマーク列１２０、１２１として、記録される。このマーク列の中で最も長さの短いものを「最短マーク」という。図では、マーク１２１が最短マークである。
【００７９】
ＢＤ２５ＧＢ記録容量の場合、最短マーク１２１の物理的長さは０．１４９ｕｍとなっている。これは、ＤＶＤの約１／２．７に相当し、光学系の波長パラメータ（４０５ｎｍ）とＮＡパラメータ(０．８５)を変えて、レーザの分解能を上げても、光ビームが記録マークを識別できる限界である光学的な分解能の限界に近づいている。
【００８０】
図５は、トラック上に記録されたマーク列に光ビームを照射させている様子を示す。ＢＤでは、上記光学系パラメータにより光スポット３０は、約０．３９ｕｍ程度となる。光学系の構造は変えないで記録線密度向上させる場合、光スポット３０のスポット径に対して記録マークが相対的に小さくなるため、再生の分解能は悪くなる。
【００８１】
たとえば図４（Ｂ）は、ＢＤよりも高記録密度の光ディスクの例を示す。この光ディスクは、上述の図２ではディスクＢに対応する。このディスクでも、レーザ１２３の波長は４０５ｎｍ、対物レンズ２２０の開口数（Ｎｕｍｅｒｉｃａｌ  Ａｐｅｒｔｕｒｅ；ＮＡ）は０．８５である。このディスクのマーク列１２５、１２４のうち、最短マーク１２５の物理的長さは０．１１１５ｕｍとなっている。図４（Ａ）のＢＤと比較すると、スポット径は同じ約０．３９ｕｍである一方、記録マークが相対的に小さくなり、かつ、マーク間隔も狭くなるため、再生の分解能は悪くなる。
【００８２】
光ビームで記録マークを再生した際の再生信号の振幅は記録マークが短くなるに従って低下し、光学的な分解能の限界でゼロとなる。この記録マークの周期の逆数を空間周波数といい、空間周波数と信号振幅の関係をＯＴＦ（Ｏｐｔｉｃａｌ Ｔｒａｎｓｆｅｒ Ｆｕｎｃｔｉｏｎ)という。信号振幅は、空間周波数が高くになるに従ってほぼ直線的に低下し、ゼロとなる再生の限界周波数をＯＴＦカットオフ（ｃｕｔｏｆｆ）という。
【００８３】
図６は、ＢＤ２５ＧＢ記録容量の場合のＯＴＦと最短記録マークの関係を示す。ＢＤの最短マークの空間周波数はＯＴＦカットオフに対して８０％程度であり、ＯＴＦカットオフに近い。また、最短マークの再生信号の振幅も、検出可能な最大振幅の約１０％程度と非常に小さくなっているこが分かる。ＢＤの最短マークが、ＯＴＦカットオフ、すなわち、再生振幅がほとんど出ない記録容量となるのは、ＢＤでは、約３１ＧＢ相当になる。最短マークの再生信号の周波数が、ＯＴＦカットオフ周波数付近になる、または、それを超える周波数となると、レーザの分解能の限界、もしくは超えていることもあり、再生信号の再生振幅が小さくなり、ＳＮ比が急激に劣化する領域となる。
【００８４】
たとえば図７は、最短マーク（２Ｔ）の空間周波数がＯＴＦカットオフ周波数よりも高く、かつ、２Ｔの再生信号の振幅が０になっている例を示す。最短ビット長の２Ｔの空間周波数はＯＴＦカットオフ周波数の１．１２倍である。この例は、図３に示すＢＤよりも記録密度が高い光ディスクのＯＴＦと最短記録マークの関係を示している。
【００８５】
また、高記録密度のディスクＢにおける波長と開口数とマーク／スペース長の関係は以下の通りである。
【００８６】
レーザ波長λ（４０５ｎｍ±５ｎｍ、すなわち４００〜４１０ｎｍ）、開口数ＮＡ（０．８５±０．０１すなわち０．８４〜０．８６）、最短マーク＋最短スペース長Ｐ（１７変調の場合、Ｐ＝２Ｔ＋２Ｔ＝４Ｔ）の３つのパラメータを用いると、
Ｐ  ＜  λ／２ＮＡ
となるまで基準Ｔが小さくなるとＯＴＦカットオフ周波数を超えることになる。
【００８７】
ＮＡ＝０．８５，λ＝４０５としたときの、ＯＴＦカットオフ周波数に相当する基準Ｔは、
Ｔ  ＝  ４０５／（２ｘ０．８５）／４  ＝  ５９．５５８ｎｍ
となる。
【００８８】
このように、記録線密度を上げるだけでも、光学的な分解能の限界によりＳＮ比が劣化する。よって、情報記録層の多層化によるＳＮ比劣化は、システムマージンの観点で、許容できない場合がある。特に、上述のように、最短記録マークの周波数が、ＯＴＦカットオフ周波数を越える辺りからＳＮ比劣化が顕著になるため、所定のＳＮ比を維持するためには、情報記録層の多層化の層数を制限して、多層化によるＳＮ比劣化を防ぐ必要がある。
【００８９】
上述のとおり、本実施形態では、１情報記録層当たり所定以上の記録密度で情報を記録する場合、層情報の制限をするために光ディスクのアドレスフォーマットを変更する。これにより、物理的に記録層数を制限することが可能になる。その結果、システムマージンを所定以上確保できるＳＮ比を確保でき、安定した記録再生システムを実現できる。例えば、上記所定以上の記録密度とは、ＢＤ規格においては、約３２．２ＧＢ容量となる。よって、図２におけるｘＧＢ／層とｙＧＢ／層の具体的な一例の値として、ｘ＝２５、ｙ＝３３となる。前者は従来のＢＤであり、後者は上述の「ディスクＢ」に対応する、ＢＤよりも記録密度が高いディスク（以下「高密度ディスク」と記述する。）である。
【００９０】
図８は、上述の例に対応した、記録可能データ量とアドレス値との関係を示す。約３２．２ＧＢを境界としてそれより大きい記録領域を有する高密度ディスクＢ（図１）には、本実施形態において１ビット分が拡張された、２０ビットでブロックアドレスが記述される。当該拡張されたアドレス値は０ｘ７ＦＦＦＦより大きい値を記述可能である。
【００９１】
上述の説明は、ＢＤおよび高密度ディスクに付加されているアドレスの記述方法に関する例である。一方で、ＢＤおよび高密度ディスクに記録されるデータにも、アドレスが付加される。
【００９２】
以下、ＢＤに記録されるデータに付加されるアドレスフォーマットを説明する。
【００９３】
図９は、ＢＤおよび高密度ディスクに共通のデータ構造と、ＢＤおよび高密度ディスクのデータに付加される各データアドレスフォーマットを示している。
【００９４】
データは、６４ｋＢ毎にブロックに分割され、ブロックはさらに２ｋＢ毎に３２個のセクタに分割されて記録される。２セクタはまとめてデータユニットとして取り扱われ、各データユニットの先頭に４バイト（３２ビット）のデータアドレス情報が挿入されてトラックに記録される。
【００９５】
記録データに付加されるデータアドレスは、データユニット毎に挿入される。１データユニットは２セクタである。
【００９６】
ＢＤ（ディスクＡ）では、データアドレスは３２ビットで表される。内訳は以下のとおりである。上位から順に、ビット番号３１〜２８はフラグビットが割り当てられている。フラグビットとは、ＢＤのファイル管理領域（図示せず）に設けられている欠陥管理リストに、欠陥データアドレスとして登録する際に付加される。ビット番号２７は未使用のリザーブビットである。
【００９７】
ビット番号２６〜２４は情報記録層の層番号を表す。ビット番号２３〜５はブロックアドレス情報を表す。ビット番号４〜１は当該ブロック内におけるデータユニット番号を表す。ビット番号４〜１にさらにビット番号０を加えた５ビットは、当該ブロック内におけるセクタ番号を表す。
【００９８】
ビット番号０のビット値は、“０”に固定されている。これは、データアドレスはデータユニット毎に先頭に付加されるため、割り振られるセクタ番号は常に偶数になるためである。
【００９９】
一方、高密度ディスク（ディスクＢ）については、先の図２、図３の例と同様、ＢＤでは層情報として割り当てられていた３ビットのうちの１ビットを、高密度ディスクではブロックアドレス情報の一部として利用する。図９に示すように、最下位ビットを０ビットとしたときの２４ビットの位置のビットが、ブロックアドレス情報の最上位ビットとして利用される。その結果、層情報は、２ビットで表される。
【０１００】
上述の説明では、１ビットのみの割り当てを説明したが、これに限定されない。所定の記録線密度と、所定の記録層数において、所定のＳＮ比を確保できるバランス点を考慮して、トラックアドレスのフォーマットに割り当てられたビット数において、層情報ビット数とアドレスビット数とに割り当てればよい。
【０１０１】
（実施形態２）
次に、記録線密度に応じて、層情報計算及びアドレス計算を切り替える光ディスク装置の実施形態を説明する。
【０１０２】
図１０は、本実施形態による光ディスク装置４５０の構成を示すブロック図である。光ディスク装置４５０は、光ディスク４００からデータを再生し、光ディスク４００にデータを記録することが可能である。なお、データの記を記録する機能は必須ではなく、光ディスク装置４５０は、再生専用の光ディスクプレーヤーであってもよい。このときは、後述する光ディスク装置４５０のデータ記録再生回路の機能のうち、記録データの受け取りおよび光ディスク４５０への書き込み処理を行う機能は不要である。
【０１０３】
光ディスク４００は、図１に示すディスクＡまたはディスクＢのいずれかである。どちらの種類の光ディスクが装填されるかに応じて、光ディスク装置４５０は動作を切り替える。
【０１０４】
光ディスク装置４５０は、光ディスク４００、光ヘッド４０１、モータ４０２、サーボ回路４０３、トラックアドレス再生回路４０４、ＣＰＵ４０５、データ記録再生回路４０６、データアドレス再生回路４０７を備えている。
【０１０５】
サーボ回路４０３、トラックアドレス再生回路４０４、ＣＰＵ４０５、データ記録再生回路４０６、データアドレス再生回路４０７は、１つのチップ回路（光ディスクコントローラ）４４５として実装されている。光ディスクコントローラ４４５は、制御装置として光ディスク装置４５０に組み込まれる。
【０１０６】
なお、これらの全てが１チップ化されていなくてもよい。たとえば、サーボ回路４０３は含まれなくてもよい。または、トラックアドレス再生回路４０４を光ヘッド４０１内に組み込んでもよい。さらに、これらを１チップ化せずに個々の回路として別々に設けてもよい。
【０１０７】
光ディスク４００は、データを記録するトラックを有し、トラック上には前述の実施形態１に示すアドレスフォーマットに従ってアドレス値が記録されている。トラックは蛇行して形成されており、蛇行の周波数あるいは位相の変調によりアドレス値が記録されている。なお、光ディスク４００は光ディスク装置４５０から取り外し可能であるため、光ディスク装置４５０の必須の構成要素ではないことに留意されたい。
【０１０８】
光ヘッド４０１は、光ディスク４００に光ビームを照射し、トラックを走査しながら光ディスク４００からの反射光量を検出して反射光量に応じた電気信号（再生信号）を出力する。いずれも図示されないが、光ヘッド３０１には、光ビームを放射する光源と、光ビームを集束させるレンズと、光ディスク３００の情報記録層で反射した光ビームを受けて、再生信号を出力する受光部が設けられている。
【０１０９】
モータ４０２は、光ディスク４００を指定された回転数で回転させる。
【０１１０】
サーボ回路４０３は、光ヘッド４０１からの再生信号から光ビームのトラックへの集光状態に応じたサーボエラー信号を生成し、サーボエラー信号を用いて、トラックにおける光ヘッド４０１からの光ビームの集光状態、トラックの走査状態が最適になるように制御を行う。また、光ビームを照射する光ディスク４００上の半径位置およびモータ４０２の回転数を最適に制御する。
【０１１１】
トラックアドレス再生回路４０４は、光ヘッド４０１からの再生信号から光ディスク４００のトラックの蛇行に応じたウォブル信号を抽出し、ウォブル信号からトラックに予め記録された２４ビットのアドレス値を復調する。また、トラック上のブロック単位およびサブブロック単位の同期位置の検出も行う。
【０１１２】
ＣＰＵ４０５は、トラックアドレス再生回路４０４で復調されたアドレス値を得て、サーボ回路４０３に指示してデータの記録および再生を行うブロックを検索し、検索したブロック位置においてデータ記録再生回路４０６に対し記録動作、再生動作の指示を出す。これにより、データ記録再生回路４０６は、行おうとしている記録動作または再生動作に適合した照射パワーで、光ヘッド４０１がレーザを照射するよう制御する。
【０１１３】
なお、本実施形態においては、トラックアドレス再生回路４０４から得られるアドレス値の算出処理をＣＰＵ４０５が行うとしている。しかしながら、この判定処理は、トラックアドレス再生回路４０４によっておこなわれてもよい。
【０１１４】
データ記録再生回路４０６は、ＣＰＵ４０５からデータ記録の指示を受けたとき、記録データに対しエラー訂正符号の付加と、所定のフォーマットに従ったデータアドレスの付加、および、データ変調処理を施して記録信号を生成する。そしてデータ記録再生回路４０６は、トラックアドレス再生回路４０４で検出された同期位置のタイミングに従って、指定されたブロックに対して記録信号に応じたマークがトラック上に記録されるように光ヘッド４０１の光ビームの強度を制御する。これにより、データが光ディスク３００の情報記録層に記録される。
【０１１５】
またデータ記録再生回路４０６は、ＣＰＵ４０５からデータ再生の指示を受けたとき、トラックアドレス再生回路４０４で検出した同期位置のタイミングに従って、指定されたブロックにおいて、光ヘッド３０１から出力された再生信号から光ディスク４００のトラック上に記録されたマークに応じたデータ信号を抽出する。そしてデータ記録再生回路４０６は、データ信号から前述の記録動作のデータ変調に従ったデータ復調を行い、さらにエラー訂正処理を行って再生データを出力する。
【０１１６】
データアドレス再生回路４０７は、データ記録再生回路４０６における再生動作時に、データ記録時に付加されたデータアドレスをデータ復調結果から抽出する。そしてデータアドレス再生回路４０７は、トラック上の傷などによりデータ信号に異常が発生したときのデータ復調のタイミングずれの検出や、タイミングの補正を行う。
【０１１７】
次に、図１１Ａを参照しながら、本実施形態における光ディスク４００の構成を詳細に説明する。
【０１１８】
図１１Ａは、光ディスク４００の領域構成を示す。
【０１１９】
光ディスク４００は、情報記録層を含む。情報記録層に記録マークを形成することによって、光ディスク４００にデータが記録される。光ディスク４００には、トラックが同心円状に形成されている。
【０１２０】
光ディスク４００は、ＢＣＡ（Ｂｕｒｓｔ  Ｃｕｔｔｉｎｇ  Ａｒｅａ）領域４１０と、リードイン領域４２０と、ユーザー領域４３０と、リードアウト領域４４０とを含む。
【０１２１】
ＢＣＡ領域４１０は、予めバーコード状の信号が記録されており、ディスク１枚ごとに異なるメディア識別用の固有の番号や、著作権情報や、ディスク特性情報が含まれる。このディスク特性情報には、情報記録層の層数やアドレス管理方法の識別情報が含まれている。上記ディスク特性情報として、たとえば情報記録層の層数そのものを表す情報、許可層数に応じた所定のビット情報、記録密度に関する情報が含まれている。記録密度に関する情報としては、例えば、光ディスクの記録容量を示す情報、チャネルビット長（記録線密度）を示す情報が挙げられる。
【０１２２】
また、この記録密度に関する情報の格納位置は、再生専用型ディスクの場合、ＢＣＡ領域、および／または、記録データ（凹凸ピット）の内部（データに付加されるデータアドレスとして記録）などが考えられる。追記型又は書換型の記録型ディスクの場合は、ＢＣＡ領域、および／または、ＰＩＣ領域、および／または、ウォブル（ウォブルに重畳される副情報として記録）などが考えられる。
【０１２３】
ユーザー領域４３０は、ユーザーが任意のデータを記録し得るように構成されている。ユーザー領域４３０には、例えば、ユーザーデータが記録される。ユーザーデータには、例えば、オーディオデータおよびビジュアル（ビデオ）データが含まれる。
【０１２４】
リードイン領域４２０は、ユーザー領域４３０とは異なって、ユーザーが任意のデータを記録し得るようには構成されていない。リードイン領域４２０は、ＰＩＣ（Ｐｅｒｍａｎｅｎｔ  Ｉｎｆｏｒｍａｔｉｏｎ  ａｎｄ  Ｃｏｎｔｒｏｌ  ｄａｔａ）領域４２１とＯＰＣ（Ｏｐｔｉｍｕｍ  Ｐｏｗｅｒ  Ｃａｌｉｂｒａｔｉｏｎ）領域４２２とＩＮＦＯ領域４２３を含む。
【０１２５】
ＰＩＣ領域４２１には、ディスク特性情報が含まれる。このディスク特性情報には、たとえば上記で説明した、情報記録層の層数、アドレス管理方法の識別情報、アクセスパラメータが記録されている。アクセスパラメータは、例えば、光ディスク４００に複数の記録マークを形成／消去するためのレーザパワーに関するパラメータ、および複数の記録マークを記録するための記録パルス幅に関するパラメータである。
【０１２６】
なお、本実施形態においては、ＢＣＡ領域４１０およびＰＩＣ領域４２１のいずれにもディスク特性情報が格納されているとした。しかしながらこれは例であり、この例には限られない。たとえばＢＣＡ領域，ＰＩＣ領域，記録データの内部，ウォブルのいずれか、これらの任意の２以上領域などでもよい。なお、同じディスク特性情報が複数箇所に分けて記録されれば、いずれかから読み出すことができる。よってディスク特性情報の信頼性を確保することが可能となる。また、ディスクの種類が未知であっても、光ディスク装置は、予め位置決めされたそれらの領域にディスク特性情報を格納しておくことで、確実にそのディスクの情報記録層の層数などを知ることができる。
【０１２７】
なお、複数の情報記録層が存在する場合、ディスク特性情報が配置される情報記録層（基準層）は、例えば、光ヘッドから最も距離が遠い位置にある層、換言すれば、レーザ光が入射する側の表面から最も深い位置の層であっても構わない。
【０１２８】
また、ＢＤのみに対応する過去の機種との互換性を取るために、上記基準層の層情報は、従来と変更しないように、トラックアドレスフォーマットを記録線密度ごとに変更するのが望ましい。
【０１２９】
以下、図１１Ｂを参照しながら、この点をより詳細に説明する。
【０１３０】
図１１Ｂの（１）は、従来の記録密度のディスクＡ、および、より高い記録密度のディスクＢの情報記録層の構成を示し、図１１Ｂの（２）および（３）は、それぞれ、ディスクＡおよびディスクＢのリードイン領域４２０の具体的な構成を示す。
【０１３１】
図１１Ｂの（１）はある光ディスクの情報記録層を示している。内周側（図面の左側）から、クランプ領域、ＢＣＡ領域４１０、リードイン領域４２０、ユーザーデータ領域４３０が順に配置されている。
【０１３２】
図１１Ｂの（２）は、ディスクＡの基準層のリードイン領域４２０の具体的配置例を示している。ＰＩＣ領域４２１は半径位置２２．２ｍｍから所定の半径距離Ａを有している。図１１の（３）はディスクＢの基準層のリードイン領域４２０の具体的配置例を示している。ＰＩＣ領域４２１は半径位置２２．２ｍｍから所定の半径距離Ｂを有している。ここで特徴的なのは、ディスクＢのＰＩＣ領域４２１の半径距離Ｂが、ディスクＡのＰＩＣ領域４２１の半径距離Ａと同じ点である。
【０１３３】
ディスクＢにおいて単純に記録密度を上げてＰＩＣ領域４２１に情報を記録する場合、チャネルビット長が短くなるため、それに比例してＰＩＣ領域４２１の半径距離Ｂも短くなるはずである。しかし、ディスクＢのＰＩＣ領域４２１にはディスクのアクセスに重要な情報が格納されており、ＰＩＣ領域４２１は安全に再生できるようにしておく必要性がある。例えば予め定められた位置に光ヘッドを機械的に精度よく移動させてＰＩＣ領域４２１の情報を読む光ディスクドライブは、ＰＩＣ領域４２１の半径距離が短くなると再生できない場合がある。そのようなドライブとの下位互換を維持するためにも、半径距離Ｂは半径距離Ａと同じにしておくことが好ましい。
【０１３４】
ここで、半径距離Ｂを半径距離Ａと同じにする方法として、たとえば、次の２つの方法が考えられる。第１は、ディスクＢのＰＩＣ領域に関しては、ディスクＢの記録密度ではなく、ディスクＡと同じ記録密度で記録する方法である。この場合、リードイン領域内でも、領域によって記録密度が変わる場合がある。第２は、ディスクＢの記録密度で、ＰＩＣ領域に記録する情報の繰り返し記録する回数を増やす方法である。ＰＩＣ領域に記録する情報は重要な情報であるため、信頼性を確保するために繰り返して記録するが、そのような場合、記録密度は詰めて、繰り返しを増やす（例えば５回から７回に増やす）ことで従来の半径距離Ａと同等にすることが可能となる。
【０１３５】
ＯＰＣ領域４２２は、テストデータを記録または再生するための領域である。テストデータの記録または再生は、光ディスク４００にアクセスする光ディスク装置がアクセスパラメータの調整（例えば、記録パワーやパルス幅等の調整）を行う。
【０１３６】
ＩＮＦＯ領域４２３は、光ディスク４００にアクセスする装置にとって必要であるユーザー領域４３０の管理情報やユーザー領域４３０の欠陥管理のためのデータが記録される。
【０１３７】
図１２は、同一規格の光ディスクであって、層当たりの記録容量が異なる光ディスクを記録再生する場合の起動時の動作の一例を示した図である。
【０１３８】
まず図１０の光ディスク装置のＣＰＵ４０５はモータ４０２を所定の回転数で回転させる。そしてＣＰＵ４０５は、光ヘッド４０１から光ディスク４００に所定のパワーでレーザを照射させ、サーボ回路４０３を用いてトラッキング、及びフォーカス制御をかける。
【０１３９】
ステップＳ１において、ＣＰＵ４０５は光ディスク４００の内周付近に物理的に構築されたＢＣＡ領域４１０または、ＰＩＣ領域４２１に光ヘッド４０１を移動させる。ＣＰＵ４０５は、トラックアドレス再生回路４０４で復調されたアドレス値を得て、サーボ回路４０３に指示してディスク特性情報を再生する位置を検索し、当該位置から、ディスク特性情報を読み出すよう指示する。
【０１４０】
その指示に基づいて、データ記録再生回路４０６はディスク特性情報を読み出し、読み出したディスク特性情報に基づいて情報記録層数やアドレス管理方法の識別情報を再生する。
【０１４１】
ステップＳ２において、ＣＰＵ４０５は、上述のディスク特性情報から、どの記録密度用に構成されたディスクであるか識別する。
【０１４２】
例えば、ＣＰＵ４０５は、装填された光ディスクがｘＧＢであると判別した場合は、ステップＳ３に進み、ｙＧＢであると判別した場合は、ステップＳ４に進む。
【０１４３】
ステップＳ３において、ＣＰＵ４０５は、ｘＧＢの光ディスク用のアドレス管理則に従って、層情報及びブロックアドレス情報を認識できるようにＣＰＵ４０５を設定する。
【０１４４】
一方、ステップＳ４において、ＣＰＵ４０５は、ｙＧＢに則したアドレス管理則に従って層情報及びブロックアドレス情報を認識できるようにＣＰＵ４０５を設定する。
【０１４５】
それぞれの記録容量での、層情報及びブロックアドレス情報の認識方法は、上記図２で説明したとおりである。
【０１４６】
すなわち、ｘＧＢの場合は、ブロックアドレス情報２４ビットの内、上位３ビットを層情報ビット、次の１９ビットをブロックアドレス情報ビット、下位２ビットをサブブロック番号として認識する。一方、ｙＧＢの場合は、ブロックアドレス情報２４ビットの内、上位２ビットを層情報ビット、次の２０ビットをブロックアドレス情報ビット、下位２ビットをサブブロック番号として認識する。例えば、ｘ＝２５、ｙ＝３３である。
【０１４７】
ステップＳ３において、記録線密度ごとに割り当てられたアドレス管理則に従って、アドレスを再生し、光ヘッド４０１が現在いる位置を正確に認識し、所定の位置に光ヘッド４０１を移動させて、起動の一連の処理が完了する。
【０１４８】
ディスク特性情報の認識前に、光ディスク装置４５０が上記基準層と異なった層にフォーカス及びトラッキングをかけ、アドレス情報を読んだ場合、層情報及びブロックアドレス情報の配置が異なるため、アドレス位置を誤判別する可能性がある。これを回避するために、上記基準層と他の層との中間層を他の層間の中間層よりも大きく確保して、層判別の誤判別を防いでもよい。例えば、ＢＤの２層対応の規格における基準層のＬ０層は、レーザ光から見れば、約１００ｕｍの深さの位置に、Ｌ１層は、約７５ｕｍの位置に構成されている。本発明では、Ｌ１層への誤引き込みを防ぐために、Ｌ１層以降のレーザ光に近い側に構成される記録層を７５ｕｍよりもレーザ光側に構成すればよい。例えば、Ｌ１層は７０ｕｍの位置である。あまり極端に基準層とＬ１層との間の中間層の幅（厚さ）を大きくすると、Ｌ２層以降の中間層の幅を十分に確保することが困難となる。そのため、Ｌ１層への誤引き込みがなく、他層の中間層の幅を確保できるバランスが必要となる。
【０１４９】
なお、上述の実施形態の説明において、予め記録されたアドレスおよび記録されるデータアドレスのアドレスフォーマットの具体的な例を示したが、これに限定されるものではない。
【０１５０】
なお、上述の実施形態の説明において、トラックに対するアドレス値の記録はトラックの蛇行（ウォブリング）によるものとしたが、これに限定されるものではなく、トラック間のピット、トラック上のビットによっても実現され得る。
【０１５１】
なお、上述の実施形態の説明において、データを記録可能な光ディスクに対する光ディスク装置の例を示したが、データがあらかじめ記録されている再生のみ可能な光ディスクに対する光ディスク装置であってもよい。
【０１５２】
なお、本発明の光ディスク装置の構成要素は集積回路であるＬＳＩとして実現され得る。光ディスク装置が備える構成要素は個別に１チップ化されてもよいし、一部または全てを含むように１チップ化されてもよい。
【０１５３】
ここでは、集積回路をＬＳＩと呼んだが、集積度の違いにより、ＩＣ、ＬＳＩ、スーパーＬＳＩ、ウルトラＬＳＩと呼称されることもある。
【０１５４】
また、本発明の集積回路はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１５５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。
【０１５６】
なお最後に、本発明の光ディスクの一例として、ＢＤ（ブルーレイディスク）について、簡単に補足説明をする。ブルーレイディスクの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。
【０１５７】
ＢＤでは、波長４０５ｎｍ（誤差範囲の許容値を±５ｎｍとすれば、４００〜４１０ｎｍ）のレーザ光およびＮＡ＝０．８５（誤差範囲の許容値を±０．０１とすれば、０．８４〜０．８６）の対物レンズを用いる。トラックピッチは０．３２μｍであり、チャネルクロック周波数はＢＤ標準転送レート（１Ｘ）において６６ＭＨｚ（６６．０００Ｍｂｉｔ／ｓ）であり、ＢＤ４ｘの転送レートでは２６４ＭＨｚ（２６４．０００Ｍｂｉｔ／ｓ）、ＢＤ６ｘの転送レートでは３９６ＭＨｚ（３９６．０００Ｍｂｉｔ／ｓ）、ＢＤ８Ｘの転送レートでは５２８ＭＨｚ（５２８．０００Ｍｂｉｔ／ｓ）である。標準線速度（基準線速度、１Ｘ）は４．９１７ｍ／ｓｅｃである。
【０１５８】
保護層（カバー層）の厚みに関しては、開口数を上げ焦点距離が短くなるのに伴い、またチルトによるスポット歪みの影響を抑えられるよう、ＤＶＤの０．６ｍｍに対して、より薄い保護層、例えば媒体の総厚み１．２ｍｍ程度のうち、保護層の厚みを１０〜２００μｍ（より具体的には、１．１ｍｍ程度の基板に、単層ディスクならば０．１ｍｍ程度の透明保護層、二層ディスクならば０．０７５ｍｍ程度の保護層に０．０２５ｍｍ程度の中間層（ＳｐａｃｅｒＬａｙｅｒ）としてもよい。三層以上のディスクならば保護層及び／又は中間層の厚みはさらに薄くなる。
【０１５９】
また、このように薄い保護層への傷つき防止のため、保持領域（Ｃｌａｍｐ  Ａｒｅａ）の外側または内側に突起部を設けてもよい。特に保持領域の内側に設けた場合、保護層の傷つき防止に加え、ディスクの中心穴に近い部分に突起部があるため、突起部の重量バランスによる回転スピンドル（モータ）への負荷を軽減することや、光ヘッドは保持領域の外側にある情報記録領域にアクセスするため保持領域の内側に突起部を設けることで突起部と光ヘッドとの衝突を回避することができる。
【０１６０】
そして、保持領域の内側に設けた場合、例えば外径１２０ｍｍのディスクにおける具体的な位置は次のようにしてもよい。仮に中心穴の直径が１５ｍｍ、保持領域が直径２３ｍｍから３３ｍｍの範囲内とした時、中心穴と保持領域の間、つまり直径１５ｍｍから２３ｍｍの範囲内に突起部を設けることになる。その際、中心穴からある程度の距離を設けてもよく（例えば中心穴の縁端から０．１ｍｍ以上（又は／及び０．１２５ｍｍ以下）離してもよい）、また、保持領域からある程度の距離を設けてもよい（例えば保持領域の内端から０．１ｍｍ以上（又は／及び０．２ｍｍ以下）離してもよい）。また、中心穴の縁端と保持領域の内端の両方からある程度の距離を隔てて設けてもよい（具体的な位置として、例えば、直径１７．５ｍｍから２１．０ｍｍの範囲内に突起部を設けてもよい）。なお、突起部の高さとしては、保護層の傷つきにくさや持ち上げ易さのバランスを考慮して決めればよいが、高すぎても別の問題が発生するかも知れないので、例えば、保持領域から０．１２ｍｍ以下の高さとしてもよい。
【０１６１】
また、多層の積層の構成に関しては、例えば、レーザ光を保護層の側から入射して情報が再生及び／又は記録される片面ディスクとすると、記録層を二層以上にする場合、基板と保護層の間には複数の記録層が設けられることになるが、その場合における多層構造を次のようにしてもよい。つまり、光入射面から所定の距離を隔てた最も奥側の位置に基準層（Ｌ０）を設け、基準層から光入射面側に層を増やすように積層（Ｌ１，Ｌ２，・・・，Ｌｎ）し、また光入射面から基準層までの距離を単層ディスクにおける光入射面から記録層までの距離と同じ（例えば０．１ｍｍ程度）にする等である。なお、ここでいう「基準層」は、先に言及した「基準層」と異なり、ディスク特性情報の存在は必須ではない。もちろん、ここでいう「基準層」にディスク特性情報を配置してもよい。
【０１６２】
このように層の数に関わらず最奥層までの距離を一定にすることで、基準層へのアクセスに関する互換性を保つことができ、また最奥層が最もチルトの影響を受けるが層数の増加に伴い最奥層までの距離が増加することがなくなるため、層数の増加に伴うチルト影響の増加を抑えることが可能となる。先に述べたディスク特性情報やそれに含まれる記録密度に関する情報を格納する領域を、少なくとも基準層に設けることで、これら情報の読み出しに関しても互換性を保つことができる。
【０１６３】
また、スポットの進行方向／再生方向に関しては、例えば、全ての層において同じ、つまり全層にて内周方向から外周方向、又は全層にて外周方向から内周方向、というパラレル・パスであっても、オポジット・パス（基準層（Ｌ０）を内周側から外周側の方向とした場合、Ｌ１では外周側から内周側の方向、Ｌ２では内周側から外周側の方向、つまり、Ｌｍ（ｍは０及び偶数）では内周側から外周側の方向、Ｌｍ＋１では外周側から内周側の方向（又は、Ｌｍ（ｍは０及び偶数）では外周側から内周側の方向、Ｌｍ＋１では内周側から外周側の方向）というように層が切り替わる毎に再生方向が逆になる）であってもよい。
【０１６４】
次に、記録信号の変調方式について簡単に述べる。データ（オリジナルのソースデータ／変調前のバイナリデータ）を記録媒体に記録する場合、所定のサイズに分割され、さらに所定のサイズに分割されたデータは所定の長さのフレームに分割され、フレーム毎に所定のシンクコード／同期符号系列が挿入される（フレームシンク領域）。フレームに分割されたデータは、記録媒体の記録再生信号特性に合致した所定の変調則に従って変調されたデータ符号系列として記録される（フレームデータ領域）。
【０１６５】
ここで変調則としては、マーク長が制限されるＲＬＬ（ＲｕｎＬｅｎｇｔｈＬｉｍｉｔｅｄ）符号化方式などでもよく、ＲＬＬ（ｄ，ｋ）と表記した場合、１と１の間に出現する０が最小ｄ個，最大ｋ個であることを意味する（ｄおよびｋは、ｄ＜ｋを満たす自然数である）。例えばｄ＝１，ｋ＝７の場合、Ｔを変調の基準周期とすると、最短が２Ｔ、最長が８Ｔの記録マーク及びスペースとなる。またＲＬＬ（１，７）変調に更に次の［１］［２］の特徴を加味した１−７ＰＰ変調としてもよい。１−７ＰＰの“ＰＰ”とは、Ｐａｒｉｔｙ  ｐｒｅｓｅｒｖｅ／Ｐｒｏｈｉｂｉｔ  Ｒｅｐｅａｔｅｄ  Ｍｉｎｉｍｕｍ  Ｔｒａｎｓｉｔｉｏｎ  Ｌｅｎｇｔｈの略で、［１］最初のＰであるＰａｒｉｔｙ  ｐｒｅｓｅｒｖｅは、変調前のソースデータビットの“１”の個数の奇偶（すなわちＰａｒｉｔｙ）と、それに対応する変調後ビットパターンの“１”の個数の奇偶が一致していることを意味し、［２］後ろの方のＰであるＰｒｏｈｉｂｉｔ  Ｒｅｐｅａｔｅｄ  Ｍｉｎｉｍｕｍ  Ｔｒａｎｓｉｔｉｏｎ  Ｌｅｎｇｔｈは、変調後の記録波形の上での最短マーク及びスペースの繰り返し回数を制限（具体的には、２Ｔの繰り返し回数を最大６回までに制限）する仕組みを意味する。
【０１６６】
一方、フレーム間に挿入されるシンクコード／同期符号系列には前述の所定の変調則は適用されないので、その変調則によって拘束される符号長以外のパターンを含ませることが可能となる。このシンクコード／同期符号系列は、記録されたデータを再生するときの再生処理タイミングを決定するもののため、次のようなパターンが含まれてもよい。
【０１６７】
データ符号系列との識別を容易にするという観点からは、データ符号系列には出現しないパターンを含ませてもよい。例えば、データ符号系列に含まれる最長マーク／スペースよりも長いマーク又はスペースやそのマークとスペースの繰り返しである。変調方式が１−７変調の場合、マークやスペースの長さは２Ｔ〜８Ｔに制限されるので、８Ｔよりも長い９Ｔ以上のマーク又はスペースや、９Ｔマーク／スペースの繰り返し等である。
【０１６８】
同期引き込み等の処理を容易にするという観点からは、マーク／スペースの遷移を多く発生させるパターンを含ませてもよい。例えば、データ符号系列に含まれるマーク／スペースの内、比較的短いマーク又はスペースやそのマークとスペースの繰り返しである。変調方式が１−７変調方式の場合、最短である２Ｔのマーク又はスペースや、２Ｔマーク／スペースの繰り返しや、次最短である３Ｔのマーク又はスペースや、３Ｔマーク／スペースの繰り返し等である。
【０１６９】
前述の同期符号系列とデータ符号系列を含む領域を仮にフレーム領域と呼び、そのフレーム領域を複数（例えば３１個）含む単位を仮にアドレスユニット（Ａｄｄｒｅｓｓ  Ｕｎｉｔ）と呼ぶことにすると、あるアドレスユニットにおいて、そのアドレスユニットの任意のフレーム領域に含まれる同期符号系列と、その任意のフレーム領域以外のフレーム領域に含まれる同期符号系列との符号間距離を２以上にしてもよい。ここで符号間距離とは、２つの符号系列を比較した場合、符号系列中の異なるビットの個数を意味する。この様に符号間距離を２以上にすることで、再生時のノイズの影響などにより一方の読み出し系列が１ビットシフト誤りを起こしても、もう一方と誤識別することがない。また、そのアドレスユニットの先頭に位置するフレーム領域に含まれる同期符号系列と、先頭以外に位置するフレーム領域に含まれる同期符号系列との符号間距離を２以上にしてもよく、この様にすることで、先頭箇所か否か、アドレスユニットの区切り箇所か否かの識別を容易にすることができる。
【０１７０】
なお符号間距離は、ＮＲＺ記録のときは符号系列をＮＲＺ表記した場合、ＮＲＺＩ記録の時は符号系列をＮＲＺＩ表記した場合における符号間距離の意味を含んでいる。そのため、もしＲＬＬ変調を採用した記録の場合、このＲＬＬとはＮＲＺＩの記録波形の上で高レベル又は低レベルの信号が続く個数を制限することを意味するものであるため、ＮＲＺＩ表記における符号間距離が２以上ということを意味する。
【産業上の利用可能性】
【０１７１】
本発明は、光ディスク等の記録情報媒体の記録容量を増やす方法として有用であり、記録線密度と情報記録層の層数とを適切に制御するアドレスフォーマットで記録情報媒体のトラックアドレスを構成し、そのアドレスフォーマットに対応できる光ディスク記録再生システムを構築することで、従来の光ディスク記録再生システムとの互換性を保ちつつ、安定な記録再生システムを実現することができる。また、再生したデジタル情報の値の処理方法を変えるだけで対応できるため、大幅なハードウェアの変更は必要なく、システムの複雑化やハードウェア規模増大によるコスト増を防ぐことができる。大容量な光ディスク媒体、光ディスク装置、光ディスク記録再生方法、集積回路に利用できる。
【符号の説明】
【０１７２】
４００  光ディスク
４０１  光ヘッド
４０２  モータ
４０３  サーボ回路
４０４  トラックアドレス再生回路
４０５  ＣＰＵ
４０６  データ記録再生回路
４０７  データアドレス再生回路
４１０  ＢＣＡ領域
４２０  リードイン領域
４３０  ユーザー領域
４４０  リードアウト領域
４２１  ＰＩＣ領域
４２２  ＯＰＣ領域
４２３  ＩＮＦＯ領域
４４５  光ディスクコントローラ
４５０  光ディスク装置
【手続補正２】
【補正対象書類名】特許請求の範囲
【補正対象項目名】全文
【補正方法】変更
【補正の内容】
【特許請求の範囲】
【請求項１】
同心円上又はスパイラル状のトラックを含む情報記録層を備え、
前記トラックに予め記録された、又は、前記情報記録層に記録されるデータに付加される、トラックアドレスを記述するためのフォーマットを有する光ディスクであって、
前記フォーマットは、前記情報記録層に関する層情報、及び、前記トラックアドレスに関するアドレス情報を含み、
第１の記録密度を有する第１の光ディスクにおいては、
前記第１の光ディスクの層情報は第１ビット数で記述され、
前記第１の光ディスクのアドレス情報は第２ビット数で記述され、
前記第１の記録密度よりも大きな第２の記録密度を有する第２の光ディスクにおいては、
前記第１ビット数よりも少ないビット数で前記第２の光ディスクの層情報が特定され、
前記第２ビット数よりも多いビット数で前記第２の光ディスクのアドレス情報が特定され、
前記第２の光ディスクの層情報および前記第２の光ディスクのアドレス情報の合計ビット数は、前記第１ビット数と前記第２ビット数の和と等しい、光ディスク。
【請求項２】
前記光ディスクは再生専用型で、前記データは凹凸ピットで形成されている、請求項１に記載の光ディスク。
【請求項３】
請求項１に記載の光ディスクを再生する方法であって、
前記層情報を再生するステップと、
前記アドレス情報を再生するステップと
を包含する方法。
【請求項４】
情報記録層を備えた光ディスクであって、
前記情報記録層においては、トラックに予め記録された、または、データに付加されるトラックアドレスを記述するためのフォーマットが予め定められており、
前記情報記録層は、前記情報記録層の記録密度に関する情報を格納する領域を含み、
前記フォーマットは、前記情報記録層に関する層情報、及び、前記トラックアドレスのアドレス情報を含み、前記層情報は第１ビット数で記述され、前記アドレス情報は第２ビット数で記述されており、
前記記録密度に関する情報が所定の値を超える場合において、前記層情報が前記第１ビット数よりも少ないビット数で記述され、前記アドレス情報が第２ビット数よりも多いビット数で記述され、かつ、前記層情報および前記アドレス情報の合計ビット数は前記第１ビット数と前記第２ビット数の和と等しい、 光ディスク。
【請求項５】
長さが異なる複数種類のマークを用いてデータが記録される光ディスクであって、
前記複数種類のマークのうち、少なくともいずれか一つのマークを再生したときの再生信号の周波数である空間周波数がＯＴＦカットオフ周波数よりも高い、請求項４に記載の光ディスク。
【請求項６】
トラックに照射するレーザの波長をλｎｍ、レーザをトラックに集光する対物レンズの開口数をＮＡ、トラック上に記録される最短マーク長をＴＭｎｍ、最短スペース長をＴＳｎｍとしたとき、（ＴＭ＋ＴＳ）  ＜  λ÷（２ＮＡ）となる、請求項４に記載の光ディスク。
【請求項７】
前記最短マーク長ＴＭと最短スペース長ＴＳを加算した長さＴＭ＋ＴＳが、２３８．２ｎｍ未満である、請求項６に記載の光ディスク。
【請求項８】
所定の変調則に従って変調した複数種類のマークを記録することが可能であり、
前記変調の基準周期をＴとした場合、
前記最短マーク長は２Ｔ、前記最短スペース長は２Ｔである、請求項６に記載の光ディスク。
【請求項９】
所定の変調則に従って変調した複数種類のマークを記録することが可能であり、
前記所定の変調則は、１−７変調則である、請求項６に記載の光ディスク。
【請求項１０】
前記記録密度に関する情報は、前記情報記録層における記録容量を示す情報である、請求項４に記載の光ディスク。
【請求項１１】
前記所定の値が２５ギガバイトである、請求項１０に記載の光ディスク。
【請求項１２】
前記記録密度に関する情報は、前記情報記録層における記録線密度を示す情報である、請求項４に記載の光ディスク。
【請求項１３】
前記情報記録層に設けられたトラックの幅は同一であり、
複数の記録密度を許容する、請求項４に記載の光ディスク。
【請求項１４】
前記アドレス情報および前記層情報は、前記トラックのウォブルによって表され、又は、前記記録されるデータの内部に記述されており、
前記層情報を示すビット列は、前記アドレス情報を示すビット列よりも上位に配置されている、請求項４に記載の光ディスク。
【請求項１５】
ＢＣＡ領域およびリードイン領域を備え、前記リードイン領域にはＰＩＣ領域が含まれており、
前記ＢＣＡ領域または前記ＰＩＣ領域に、前記記録密度に関する情報が記録されている、請求項４に記載の光ディスク。
【請求項１６】
請求項１５に記載の光ディスクを再生する方法であって、
前記ＢＣＡ領域又は前記ＰＩＣ領域から、前記記録密度に関する情報を再生するステップを包含する方法。
【請求項１７】
光照射面から最も遠い位置に配置される情報記録層である基準層と、
前記基準層よりも前記光照射面側に配置される情報記録層である第１の情報記録層と、
前記基準層と前記第１の情報記録層との間に配置される中間層である第１の中間層と
を備え、前記基準層は、前記記録密度に関する情報を格納する領域を含む、請求項４に記載の光ディスク。
【請求項１８】
前記第１の情報記録層よりも前記光照射面側に配置される情報記録層である第２の情報記録層と、
前記第１の情報記録層と前記第２の情報記録層との間に配置される中間層である第２の中間層と
を備え、前記第１の中間層の幅は、前記第２の中間層の幅よりも大きい、請求項１７に記載の光ディスク。
【請求項１９】
請求項１５に記載の光ディスクに対し、データの記録および再生の少なくとも一方を行うことが可能な光ディスク装置であって、
前記光ディスクに対して光ビームを放射し、反射光の光量に応じた再生信号を出力する出力手段と、
前記ＢＣＡ領域または前記ＰＩＣ領域から、前記記録密度に関する情報を再生する第１の再生手段と、
前記再生信号に基づいて、前記層情報および前記アドレス情報を再生する第２の再生手段と、
前記第１の再生手段によって再生される前記記録密度に関する情報に応じて、前記第１ビット数よりも少ないビット数で前記層情報を認識し、前記第２ビット数よりも多いビット数で前記アドレス情報を認識する認識手段と、
ビット数が変更して認識された前記層情報および前記アドレス情報に基づいて、データの記録および再生の少なくとも一方を行う、光ディスク装置。
【請求項２０】
請求項１５に記載の光ディスクに対し、データの記録および再生の少なくとも一方を行うことが可能な光ディスク装置に組み込まれる制御装置であって、
前記制御装置は、
前記ＢＣＡ領域または前記ＰＩＣ領域から、前記記録密度に関する情報の再生を指示する第１の再生指示手段と、
前記光ディスクからの再生信号に基づいて、前記層情報および前記アドレス情報の再生を指示する第２の再生指示手段と、
前記第１の再生指示手段によって再生される前記記録密度に関する情報に応じて、前記第１ビット数よりも少ないビット数で前記層情報を認識し、前記第２ビット数よりも多いビット数で前記アドレス情報を認識する認識手段と
を備えた制御装置。
【手続補正３】
【補正対象書類名】図面
【補正対象項目名】全図
【補正方法】変更
【補正の内容】
【図１】
2009066470.tif 000018
【図２】
2009066470.tif 000019
【図３】
2009066470.tif 000020
【図４】
2009066470.tif 000021
【図５】
2009066470.tif 000022
【図６】
2009066470.tif 000023
【図７】
2009066470.tif 000024
【図８】
2009066470.tif 000025
【図９】
2009066470.tif 000026
【図１０】
2009066470.tif 000027
【図１１Ａ】
2009066470.tif 000028
【図１１Ｂ】
2009066470.tif 000029
【図１２】
2009066470.tif 000030
【図１３】
2009066470.tif 000031
【図１４】
2009066470.tif 000032
【国際調査報告】
2009066470.tif 000033
2009066470.tif 000034